(57)【要約】【課題】高い周波数において優れた減衰特性を有するフィルタ素子を提供する。【解決手段】信号用導電体９と接地用導電体８とを帯状絶縁体７ａ，７ｂを介して重ねた状態で巻回することによって全体として筒状に形成されたコイル部５を備え、信号用導電体９は、外部に接続される出力部位Ｂが内周部に規定されると共に外部に接続される入力部位Ａが外周部に規定され、接地用導電体８は、外部に接続される接地部位Ｃが外周部に規定され、コイル部５には、信号用導電体９の内周部に対向するようにしてシート状の補助接地用導電体１０が巻き込まれている。【選択図】図３
2006148762.tif 000002
【特許請求の範囲】
【請求項１】
一方の帯状導電体と他方の帯状導電体とを帯状絶縁体を介して重ねた状態で巻回することによって全体として筒状に形成されたコイル部を備え、
前記一方の帯状導電体は、外部に接続される第１接続部位が内周部に規定されると共に外部に接続される第２接続部位が外周部に規定され、
前記他方の帯状導電体は、外部に接続される第３接続部位が外周部に規定され、
前記コイル部には、前記一方の帯状導電体の前記内周部に対向するようにしてシート状導電体が巻き込まれているフィルタ素子。
【請求項２】
一方の帯状導電体と他方の帯状導電体とを帯状絶縁体を介して重ねた状態で巻回することによって全体として筒状に形成されたコイル部を備え、
前記一方の帯状導電体は、外部に接続される第１接続部位が外周部に規定されると共に外部に接続される第２接続部位が内周部に規定され、
前記他方の帯状導電体は、外部に接続される第３接続部位が内周部に規定され、
前記コイル部には、前記一方の帯状導電体の前記外周部に対向するようにしてシート状導電体が巻き込まれているフィルタ素子。
【請求項３】
信号用帯状導電体と接地用帯状導電体とを帯状絶縁体を介して重ねた状態で巻回することによって全体として筒状に形成されたコイル部を備え、
前記信号用帯状導電体は、内周部に出力部位が規定されると共に外周部に入力部位が規定され、
前記接地用帯状導電体は、外周部に接地部位が規定され、
前記コイル部には、前記信号用帯状導電体の前記内周部に対向するようにしてシート状の補助接地用導電体が巻き込まれているフィルタ素子。
【請求項４】
信号用帯状導電体と接地用帯状導電体とを帯状絶縁体を介して重ねた状態で巻回することによって全体として筒状に形成されたコイル部を備え、
前記信号用帯状導電体は、内周部に入力部位が規定されると共に外周部に出力部位が規定され、
前記接地用帯状導電体は、内周部に接地部位が規定され、
前記コイル部には、前記信号用帯状導電体の前記外周部に対向するようにしてシート状の補助接地用導電体が巻き込まれているフィルタ素子。
【請求項５】
前記接地部位は、前記コイル部の中心軸を挟んで前記入力部位に対して反対側に規定され、
前記出力部位は、前記コイル部の中心軸を挟んで前記入力部位に対して反対側に規定されている請求項３または４記載のフィルタ素子。
【請求項６】
前記接地部位は、前記コイル部の中心軸を挟んで前記入力部位に対して反対側に規定され、
前記出力部位は、前記コイル部の中心軸を挟んで前記接地部位に対して反対側に規定されている請求項３または４記載のフィルタ素子。
【請求項７】
一対の帯状導電体と他の帯状導電体とを帯状絶縁体を介して重ねた状態で巻回することによって全体として筒状に形成されたコイル部を備え、
前記一対の帯状導電体は、外部に接続される第１接続部位が各内周部にそれぞれ規定されると共に外部に接続される第２接続部位が各外周部にそれぞれ規定され、
前記他の帯状導電体は、外部に接続される第３接続部位が外周部に規定され、
前記コイル部には、前記一対の帯状導電体の前記各内周部に対向するようにしてシート状導電体が巻き込まれているフィルタ素子。
【請求項８】
一対の帯状導電体と他の帯状導電体とを帯状絶縁体を介して重ねた状態で巻回することによって全体として筒状に形成されたコイル部を備え、
前記一対の帯状導電体は、外部に接続される第１接続部位が各外周部にそれぞれ規定されると共に外部に接続される第２接続部位が各内周部にそれぞれ規定され、
前記他の帯状導電体は、外部に接続される第３接続部位が内周部に規定され、
前記コイル部には、前記一対の帯状導電体の前記各外周部に対向するようにしてシート状導電体が巻き込まれているフィルタ素子。
【請求項９】
一対の信号用帯状導電体と接地用帯状導電体とを帯状絶縁体を介して重ねた状態で巻回することによって全体として筒状に形成されたコイル部を備え、
前記一対の信号用帯状導電体は、各内周部に出力部位がそれぞれ規定されると共に各外周部に入力部位がそれぞれ規定され、
前記接地用帯状導電体は、外周部に接地部位が規定され、
前記コイル部には、前記一対の信号用帯状導電体の前記各内周部に対向するようにしてシート状の補助接地用導電体が巻き込まれているフィルタ素子。
【請求項１０】
一対の信号用帯状導電体と接地用帯状導電体とを帯状絶縁体を介して重ねた状態で巻回することによって全体として筒状に形成されたコイル部を備え、
前記一対の信号用帯状導電体は、各内周部に入力部位がそれぞれ規定されると共に各外周部に出力部位がそれぞれ規定され、
前記接地用帯状導電体は、内周部に接地部位が規定され、
前記コイル部には、前記一対の信号用帯状導電体の前記外周部に対向するようにしてシート状の補助接地用導電体が巻き込まれているフィルタ素子。
【請求項１１】
前記接地部位は、前記コイル部の中心軸を挟んで前記各入力部位に対して反対側に規定され、
前記各出力部位は、前記コイル部の中心軸を挟んで前記各入力部位に対して反対側にそれぞれ規定されている請求項９または１０記載のフィルタ素子。
【請求項１２】
前記接地部位は、前記コイル部の中心軸を挟んで前記各入力部位に対して反対側に規定され、
前記各出力部位は、前記コイル部の中心軸を挟んで前記接地部位に対して反対側にそれぞれ規定されている請求項９または１０記載のフィルタ素子。
【請求項１３】
前記補助接地用導電体は、前記一対の信号用帯状導電体にそれぞれ対向するようにして一対設けられている請求項９から１２のいずれかに記載のフィルタ素子。
【請求項１４】
前記補助接地用導電体は、前記信号用帯状導電体における前記出力部位が規定された前記内周部または前記外周部に対向する前記接地用帯状導電体の部位を当該接地用帯状導電体における他の部位から分離して構成されている請求項３から６および９から１３のいずれかに記載のフィルタ素子。
【請求項１５】
出力端子が前記第１接続部位に接続され、
入力端子が前記第２接続部位に接続され、
接地用端子が前記第３接続部位に接続され、
補助接地用端子が前記シート状導電体に接続されている請求項１、２、７および８のいずれかに記載のフィルタ素子。
【請求項１６】
入力端子が前記入力部位に接続され、
出力端子が前記出力部位に接続され、
接地用端子が前記接地部位に接続され、
補助接地用端子が前記補助接地用導電体に接続されている請求項３から６および９から１４のいずれかに記載のフィルタ素子。
【請求項１７】
前記コイル部の中心部に形成された空隙に磁性体が配設されている請求項１から１６のいずれかに記載のフィルタ素子。
【発明の詳細な説明】
【技術分野】
【０００１】
本発明は、帯状絶縁体に帯状導電体を重ねた状態で巻回されて構成されたスパイラル積層型のフィルタ素子に関するものである。
【背景技術】
【０００２】
この種のフィルタ素子として、特許第２８２６３２０号公報において比較例および実施例として開示されたフィルタ素子が知られている。このフィルタ素子は、複数枚の帯状導電体（通電用および接地用の帯状導電体）を、高誘電率の誘電体シートを介して、磁性または非磁性巻枠あるいは空心に巻き回して形成されて、ノイズフィルタ（ノーマルモード型ノイズフィルタ）として機能する。このフィルタ素子では、通電用の帯状導電体の巻始め部と巻き終わり部に接続された一対のリード間にインダクタンスが形成され、かつ通電用の帯状導電体の全長に亘り、接地用の帯状導電体との間にキャパシタンスが分布定数的に形成される。したがって、このフィルタ素子では、広周波帯域に亘って優れた減衰特性を実現することが可能となっている。
【０００３】
このうち、比較例として開示されたフィルタ素子（以下、「フィルタ」ともいう）は、同公報中の第１図（Ａ）に示すように、円筒状の巻回部と、その一端面に設けられた３本のリードを備えて構成されている。この場合、巻回部は、帯状導電体および接地用帯状導電体を２つの誘電体層を介して重ね合わせた積層体（同公報中の第２図参照）を回転巻き軸の回りに複数回巻き回して形成されている。一方、入出力用の第１内側リードは、帯状導電体の内端（同図においては左端）近傍に接続されている。また、入出力用の第１外側リードは、帯状導電体の外側近傍に接続されている。さらに、接地用外側リードは、接地用帯状導電体の外端近傍に、第１外側リードから巻き軸を中心として１／２回転ずらして接続されている。
【０００４】
この構成により、このフィルタでは、各導電体を展開した状態での第１外側リードと接地用外側リードの間隔を充分に狭めることができるため、優れた減衰特性を実現することができる。さらに、このフィルタでは、これら第１外側リードと接地用外側リードを巻き軸中心を介してほぼ一直線上に所定間隔で位置させることができるため、ほぼ均一でしかも良好な減衰特性と共に、優れた量産性を実現することができる。また、このフィルタは、同公報中の第１図（Ｂ）に示すように、上記の巻き軸を抜き取った状態において、円筒状の巻回部を加熱しつつ、第１外側リードと接地用外側リードリードを結んだ線と直交する方向から押圧することにより、空心部および巻回部を偏平に変形させた構成においても同様の効果を奏することができる。
【０００５】
一方、実施例として開示されたフィルタ素子は、同公報中の第４図に示すように、円筒状の巻回部、およびその一端面に設けられた３本のリードを備えると共に、接地用外側リードが第１外側リードに対して巻き軸を中心として１／２回転ずらして配置されている（第１外側リード、接地用外側リードおよび巻き軸中心が直線上に配置されている）点で、上記した比較例のフィルタ素子と共通する。一方、実施例として開示されたフィルタ素子は、第１内側リードが第１外側リードに対して巻き軸を中心として１／４回転ずらして配置されている点で上記した比較例のフィルタ素子と相違する。
【０００６】
この構成により、実施例として開示されたフィルタ素子では、２つの導電体を展開した状態での第１外側リードと接地用外側リードの間隔を充分に狭めることができるため、優れた減衰特性を実現することができる。さらに、このフィルタ素子では、巻回部を偏平に変形させた際に、第１内側リードを巻き軸中心とほぼ同じ位置に位置させることができる結果、巻き軸中心、つまり第１内側リードを中心として接地用外側リードおよび第１外側リードを左右対称に配置することができる。したがって、第１外側リードと第１内側リードとの間、および第１内側リードと接地用外側リードとの間の物理的な各間隔が十分に得られるために、配線および半田付け等の作業によりショートすることを有効に回避することができる。したがって、フィルタ素子のプリント基板への取付けを容易にすることができる。
【特許文献１】特許第２８２６３２０号公報（第３−５頁、第１、２，４図）
【発明の開示】
【発明が解決しようとする課題】
【０００７】
ところが、従来のフィルタ素子には、以下のような問題点がある。すなわち、このフィルタ素子は、上記したように、通電用の帯状導電体の巻始め部と巻き終わり部に接続された一対のリード（第１外側リードと第１内側リード）間にインダクタンスが形成され、かつ通電用の帯状導電体の全長に亘り、接地用の帯状導電体との間にキャパシタンスが分布定数的に形成されることにより、フィルタとして機能する。しかしながら、このフィルタ素子では、接地用帯状導電体も通電用の帯状導電体と同様にして、巻始め部と巻き終わり部との間にインダクタンスが形成されるが、接地用帯状導電体は、その巻始め部および巻き終わり部のいずれか一方に接続された１本の接地用外側リードによってのみ接地されている。このため、このフィルタ素子では、通電用の帯状導電体と接地用の帯状導電体との間に分布定数的に形成されるキャパシタンスにおける接地側の電位が、接地用外側リードの接続部位から離間するに従い、接地用帯状導電体に形成されるインダクタンスに起因して上昇する。この結果、このフィルタ素子には、高い周波数において減衰特性が悪化するという問題点がある。本願発明者は、この減衰特性の悪化は、通電用の帯状導電体の巻始め部と巻き終わり部に接続された一対のリードのうちの接地用外側リードから離間したリードを出力用リードとして使用したときに顕著に現れることを見出した。
【０００８】
本発明は、上記の問題点を解決すべくなされたものであり、高い周波数において優れた減衰特性を有するフィルタ素子を提供することを主目的とする。
【課題を解決するための手段】
【０００９】
上記目的を達成すべく請求項１記載のフィルタ素子は、一方の帯状導電体と他方の帯状導電体とを帯状絶縁体を介して重ねた状態で巻回することによって全体として筒状に形成されたコイル部を備え、前記一方の帯状導電体は、外部に接続される第１接続部位が内周部に規定されると共に外部に接続される第２接続部位が外周部に規定され、前記他方の帯状導電体は、外部に接続される第３接続部位が外周部に規定され、前記コイル部には、前記一方の帯状導電体の前記内周部に対向するようにしてシート状導電体が巻き込まれている。ここで、本明細書における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。また、「内周部」とは、帯状導電体における巻始めの数ターンに含まれる部位をいい、「外周部」とは、帯状導電体における巻き終わりの数ターンに含まれる部位をいう。
【００１０】
また、請求項２記載のフィルタ素子は、一方の帯状導電体と他方の帯状導電体とを帯状絶縁体を介して重ねた状態で巻回することによって全体として筒状に形成されたコイル部を備え、前記一方の帯状導電体は、外部に接続される第１接続部位が外周部に規定されると共に外部に接続される第２接続部位が内周部に規定され、前記他方の帯状導電体は、外部に接続される第３接続部位が内周部に規定され、前記コイル部には、前記一方の帯状導電体の前記外周部に対向するようにしてシート状導電体が巻き込まれている。
【００１１】
また、請求項３記載のフィルタ素子は、信号用帯状導電体と接地用帯状導電体とを帯状絶縁体を介して重ねた状態で巻回することによって全体として筒状に形成されたコイル部を備え、前記信号用帯状導電体は、内周部に出力部位が規定されると共に外周部に入力部位が規定され、前記接地用帯状導電体は、外周部に接地部位が規定され、前記コイル部には、前記信号用帯状導電体の前記内周部に対向するようにしてシート状の補助接地用導電体が巻き込まれている。
【００１２】
また、請求項４記載のフィルタ素子は、信号用帯状導電体と接地用帯状導電体とを帯状絶縁体を介して重ねた状態で巻回することによって全体として筒状に形成されたコイル部を備え、前記信号用帯状導電体は、内周部に入力部位が規定されると共に外周部に出力部位が規定され、前記接地用帯状導電体は、内周部に接地部位が規定され、前記コイル部には、前記信号用帯状導電体の前記外周部に対向するようにしてシート状の補助接地用導電体が巻き込まれている。
【００１３】
また、請求項５記載のフィルタ素子は、請求項３または４記載のフィルタ素子において、前記接地部位は、前記コイル部の中心軸を挟んで前記入力部位に対して反対側に規定され、前記出力部位は、前記コイル部の中心軸を挟んで前記入力部位に対して反対側に規定されている。
【００１４】
また、請求項６記載のフィルタ素子は、請求項３または４記載のフィルタ素子において、前記接地部位は、前記コイル部の中心軸を挟んで前記入力部位に対して反対側に規定され、前記出力部位は、前記コイル部の中心軸を挟んで前記接地部位に対して反対側に規定されている。
【００１５】
また、請求項７記載のフィルタ素子は、一対の帯状導電体と他の帯状導電体とを帯状絶縁体を介して重ねた状態で巻回することによって全体として筒状に形成されたコイル部を備え、前記一対の帯状導電体は、外部に接続される第１接続部位が各内周部にそれぞれ規定されると共に外部に接続される第２接続部位が各外周部にそれぞれ規定され、前記他の帯状導電体は、外部に接続される第３接続部位が外周部に規定され、前記コイル部には、前記一対の帯状導電体の前記各内周部に対向するようにしてシート状導電体が巻き込まれている。
【００１６】
また、請求項８記載のフィルタ素子は、一対の帯状導電体と他の帯状導電体とを帯状絶縁体を介して重ねた状態で巻回することによって全体として筒状に形成されたコイル部を備え、前記一対の帯状導電体は、外部に接続される第１接続部位が各外周部にそれぞれ規定されると共に外部に接続される第２接続部位が各内周部にそれぞれ規定され、前記他の帯状導電体は、外部に接続される第３接続部位が内周部に規定され、前記コイル部には、前記一対の帯状導電体の前記各外周部に対向するようにしてシート状導電体が巻き込まれている。
【００１７】
また、請求項９記載のフィルタ素子は、一対の信号用帯状導電体と接地用帯状導電体とを帯状絶縁体を介して重ねた状態で巻回することによって全体として筒状に形成されたコイル部を備え、前記一対の信号用帯状導電体は、各内周部に出力部位がそれぞれ規定されると共に各外周部に入力部位がそれぞれ規定され、前記接地用帯状導電体は、外周部に接地部位が規定され、前記コイル部には、前記一対の信号用帯状導電体の前記各内周部に対向するようにしてシート状の補助接地用導電体が巻き込まれている。
【００１８】
また、請求項１０記載のフィルタ素子は、一対の信号用帯状導電体と接地用帯状導電体とを帯状絶縁体を介して重ねた状態で巻回することによって全体として筒状に形成されたコイル部を備え、前記一対の信号用帯状導電体は、各内周部に入力部位がそれぞれ規定されると共に各外周部に出力部位がそれぞれ規定され、前記接地用帯状導電体は、内周部に接地部位が規定され、前記コイル部には、前記一対の信号用帯状導電体の前記外周部に対向するようにしてシート状の補助接地用導電体が巻き込まれている。
【００１９】
また、請求項１１記載のフィルタ素子は、請求項９または１０記載のフィルタ素子において、前記接地部位は、前記コイル部の中心軸を挟んで前記各入力部位に対して反対側に規定され、前記各出力部位は、前記コイル部の中心軸を挟んで前記各入力部位に対して反対側にそれぞれ規定されている。
【００２０】
また、請求項１２記載のフィルタ素子は、請求項９または１０記載のフィルタ素子において、前記接地部位は、前記コイル部の中心軸を挟んで前記各入力部位に対して反対側に規定され、前記各出力部位は、前記コイル部の中心軸を挟んで前記接地部位に対して反対側にそれぞれ規定されている。
【００２１】
また、請求項１３記載のフィルタ素子は、請求項９から１２のいずれかに記載のフィルタ素子において、前記補助接地用導電体は、前記一対の信号用帯状導電体にそれぞれ対向するようにして一対設けられている。
【００２２】
また、請求項１４記載のフィルタ素子は、請求項３から６および９から１３のいずれかに記載のフィルタ素子において、前記補助接地用導電体は、前記信号用帯状導電体における前記出力部位が規定された前記内周部または前記外周部に対向する前記接地用帯状導電体の部位を当該接地用帯状導電体における他の部位から分離して構成されている。
【００２３】
また、請求項１５記載のフィルタ素子は、請求項１、２、７および８のいずれかに記載のフィルタ素子において、出力端子が前記第１接続部位に接続され、入力端子が前記第２接続部位に接続され、接地用端子が前記第３接続部位に接続され、補助接地用端子が前記シート状導電体に接続されている。ここで、本明細書における「端子」とは、棒状の導電体に限らず、可撓性を備えた配線ケーブル、さらには金属箔などの平板状導電体をも含むことを意味する。
【００２４】
また、請求項１６記載のフィルタ素子は、請求項３から６および９から１４のいずれかに記載のフィルタ素子において、入力端子が前記入力部位に接続され、出力端子が前記出力部位に接続され、接地用端子が前記接地部位に接続され、補助接地用端子が前記補助接地用導電体に接続されている。
【００２５】
また、請求項１７記載のフィルタ素子は、請求項１から１５のいずれかに記載のフィルタ素子において、前記コイル部の中心部に形成された空隙に磁性体が配設されている。
【発明の効果】
【００２６】
請求項１記載のフィルタ素子によれば、一方の帯状導電体、他方の帯状導電体およびシート状導電体を帯状絶縁体を介して巻回して全体として筒状にコイル部を形成し、一方の帯状導電体の内周部に第１接続部位（例えば出力部位）を規定すると共に外周部に第２接続部位（例えば入力部位）を規定し、他方の帯状導電体の外周部に第３接続部位（例えば接地部位）を規定し、一方の帯状導電体の内周部に対向するようにしてシート状導電体をコイル部に巻き込むことにより、一方の帯状導電体の内周部とシート状導電体との間に分布定数的にキャパシタンスを形成でき、しかも、全長の短い、つまりインダクタンスによる電位の上昇の少ないシート状導電体を介してこのキャパシタンスを接地することができる。このため、このフィルタ素子によれば、一方の帯状導電体の内周部において、シート状導電体との間に形成されるキャパシタンスを介してノイズを接地側に良好にバイパスさせることができる結果、高い周波数領域（例えば３ＭＨｚ以上の周波数領域）においてもノーマルモードノイズに対する減衰特性を良好に維持することができる。
【００２７】
請求項２記載のフィルタ素子によれば、一方の帯状導電体、他方の帯状導電体およびシート状導電体を帯状絶縁体を介して巻回して全体として筒状にコイル部を形成し、一方の帯状導電体の外周部に第１接続部位（例えば出力部位）を規定すると共に内周部に第２接続部位（例えば入力部位）を規定し、他方の帯状導電体の内周部に第３接続部位（例えば接地部位）を規定し、一方の帯状導電体の外周部に対向するようにしてシート状導電体をコイル部に巻き込むことにより、一方の帯状導電体の外周部とシート状導電体との間に分布定数的にキャパシタンスを形成でき、しかも、全長の短い、つまりインダクタンスによる電位の上昇の少ないシート状導電体を介してこのキャパシタンスを接地することができる。このため、このフィルタ素子によれば、一方の帯状導電体の外周部において、シート状導電体との間に形成されるキャパシタンスを介してノイズを接地側に良好にバイパスさせることができる結果、高い周波数領域（例えば３ＭＨｚ以上の周波数領域）においてもノーマルモードノイズに対する減衰特性を良好に維持することができる。
【００２８】
請求項３記載のフィルタ素子によれば、信号用帯状導電体、接地用帯状導電体および補助接地用導電体を帯状絶縁体を介して巻回して全体として筒状にコイル部を形成し、信号用帯状導電体の内周部に出力部位を規定すると共に信号用帯状導電体の外周部に入力部位を規定し、接地用帯状導電体の外周部に接地部位を規定し、信号用帯状導電体の内周部に対向するようにして補助接地用導電体をコイル部に巻き込むことにより、信号用帯状導電体の内周部と補助接地用導電体との間に分布定数的にキャパシタンスを形成でき、しかも、全長の短い、つまりインダクタンスによる電位の上昇の少ない補助接地用導電体を介してこのキャパシタンスを接地することができる。このため、このフィルタ素子によれば、信号用帯状導電体の内周部において、補助接地用導電体との間に形成されるキャパシタンスを介してノイズを接地側に良好にバイパスさせることができる結果、高い周波数領域（例えば３ＭＨｚ以上の周波数領域）においてもノーマルモードノイズに対する減衰特性を良好に維持することができる。
【００２９】
請求項４記載のフィルタ素子によれば、信号用帯状導電体、接地用帯状導電体および補助接地用導電体を帯状絶縁体を介して巻回して全体として筒状にコイル部を形成し、信号用帯状導電体の内周部に入力部位を規定すると共に信号用帯状導電体の外周部に出力部位を規定し、接地用帯状導電体の内周部に接地部位を規定し、信号用帯状導電体の外周部に対向するようにして補助接地用導電体をコイル部に巻き込むことにより、信号用帯状導電体の外周部と補助接地用導電体との間に分布定数的にキャパシタンスを形成でき、しかも、全長の短い、つまりインダクタンスによる電位の上昇の少ない補助接地用導電体を介してこのキャパシタンスを接地することができる。このため、このフィルタ素子によれば、信号用帯状導電体の外周部において、補助接地用導電体との間に形成されるキャパシタンスを介してノイズを接地側に良好にバイパスさせることができる結果、高い周波数領域（例えば３ＭＨｚ以上の周波数領域）においてもノーマルモードノイズに対する減衰特性を良好に維持することができる。
【００３０】
また、請求項５記載のフィルタ素子によれば、コイル部の中心軸を挟んで入力部位に対して反対側に接地部位を規定し、コイル部の中心軸を挟んで入力部位に対して反対側に出力部位を規定したことにより、所定の周波数帯域において大きな減衰量を確保することができる結果、優れた減衰特性を有するノーマルモード用のフィルタ素子を実現することができる。
【００３１】
また、請求項６記載のフィルタ素子によれば、コイル部の中心軸を挟んで入力部位に対して反対側に接地部位を規定し、コイル部の中心軸を挟んで接地部位に対して反対側に出力部位を規定したことにより、所定の周波数帯域において大きな減衰量を確保することができる結果、優れた減衰特性を有するノーマルモード用のフィルタ素子を実現することができる。
【００３２】
また、請求項７，８に記載の各フィルタ素子では、例えば、第１接続部位に出力部位を規定すると共に第２接続部位に入力部位を規定し、かつ第３接続部位に接地部位を規定した場合、コモンモードノイズが、一方の帯状導電体における入力部位から出力部位に至る経路と、他方の帯状導電体における入力部位から出力部位に至る経路との双方を同時に伝搬して、共に対応する他の帯状導電体にそれぞれ流入する。このため、一対の入力部位、一対の帯状導電体および一対の出力部位は、コモンモードノイズに関しては、それぞれ一つの入力部位、一つの帯状導電体および一つの出力部位であるとみなすことができる。このため、この請求項７，８に記載の各フィルタ素子によれば、コモンモードノイズに関して、ノーマルモードノイズに対して請求項１〜６に記載の各フィルタ素子が良好な減衰特性を示すように機能するのと同様にして、良好な減衰特性を示すように機能する。したがって、請求項７，８に記載の各フィルタ素子によれば、高い周波数領域（例えば３ＭＨｚ以上の周波数領域）においてもコモンモードノイズに対する減衰特性を良好に維持することができるため、優れた減衰特性を有するコモンモード用のフィルタ素子を実現することができる。
【００３３】
また、請求項９〜１２に記載の各フィルタ素子では、コモンモードノイズが、一方の信号用帯状導電体における入力部位から出力部位に至る経路と、他方の信号用帯状導電体における入力部位から出力部位に至る経路との双方を同時に伝搬して、共に対応する接地用帯状導電体にそれぞれ流入する。このため、一対の入力部位、一対の信号用帯状導電体および一対の出力部位は、コモンモードノイズに関しては、それぞれ一つの入力部位、一つの信号用帯状導電体および一つの出力部位であるとみなすことができる。このため、この請求項９〜１２に記載の各フィルタ素子によれば、コモンモードノイズに関して、ノーマルモードノイズに対して請求項１〜６に記載の各フィルタ素子が良好な減衰特性を示すように機能するのと同様にして、良好な減衰特性を示すように機能する。したがって、請求項９〜１２に記載の各フィルタ素子によれば、高い周波数領域（例えば３ＭＨｚ以上の周波数領域）においてもコモンモードノイズに対する減衰特性を良好に維持することができるため、優れた減衰特性を有するコモンモード用のフィルタ素子を実現することができる。
【００３４】
また、請求項１３記載のフィルタ素子によれば、コモンモード用のフィルタ素子である請求項９〜１２に記載の各フィルタ素子において、一対の信号用帯状導電体にそれぞれ対向するようにして一対の補助接地用導電体を設けたことにより、必要最小限の導電体で補助接地用導電体を形成することができる。したがって、フィルタ素子を軽量化することができる。
【００３５】
また、請求項１４記載のフィルタ素子によれば、信号用帯状導電体における出力部位が規定された内周部または外周部に対向する接地用帯状導電体の部位を接地用帯状導電体における他の部位から分離して補助接地用導電体を構成したことにより、帯状絶縁体の枚数を最小限に抑えることができるため、部品点数の削減によって製品コストを低減することができると共に、フィルタ素子をさらに軽量化することができる。
【００３６】
また、請求項１５記載のフィルタ素子によれば、第１接続部位に出力端子を接続し、第２接続部位に入力端子を接続し、第３接続部位に接地用端子を接続し、かつシート状導電体に補助接地用端子を接続したことにより、各端子を使用してフィルタ素子を電源装置などに容易に実装することができる。
【００３７】
また、請求項１６記載のフィルタ素子によれば、入力部位に入力端子を接続し、出力部位に出力端子を接続し、接地部位に接地用端子し、かつ補助接地用導電体に補助接地用端子を接続したことにより、各端子を使用してフィルタ素子を電源装置などに容易に実装することができる。
【００３８】
また、請求項１７記載のフィルタ素子によれば、コイル部の中心部に形成された空隙に磁性体を配設したことにより、接地用帯状導電体および信号用帯状導電体の結合度合いや分布インダクタンスの値を向上させることができるため、減衰特性を向上させることができる。
【発明を実施するための最良の形態】
【００３９】
以下、添付図面を参照して、本発明に係るフィルタ素子の最良の形態について説明する。
【００４０】
（第１の最良の形態）
最初に、本形態に係るフィルタ素子１について、図１，２，３を参照して説明する。
【００４１】
フィルタ素子１は、図１に示すように、入力端子２、出力端子３、接地用端子４，１１、コイル部５および柱状（一例として円柱状）の磁性体（磁性コア）６を備えて構成されて、分布定数型のノイズフィルタ（低域通過型のノーマルモードフィルタ）として機能する。
【００４２】
コイル部５は、図３に示すように、例えば同じ幅に形成された帯状絶縁体７ａ，７ｂ，７ｃ、および各帯状絶縁体７ａ，７ｂ，７ｃよりも幅狭に形成された接地用帯状導電体８，信号用帯状導電体９，補助接地用導電体１０を備えている。この場合、各帯状絶縁体７ａ，７ｂ，７ｃは、誘電性および電気的絶縁性を有する材料（ポリイミド、ポリエチレン、絶縁紙など）で構成されている。また、各帯状絶縁体７ａ，７ｂは、同じ幅、同じ長さで、かつ均一な厚みに構成されている。接地用帯状導電体（以下、「接地用導電体」ともいう）８は、一端側（巻き終わり端側、言い換えれば最外周部でもある）に規定されて外部に接続される接地部位（本発明における第３接続部位）Ｃに接地用端子４の一端側が電気的に接続されている。また、接地用導電体８は、帯状絶縁体７ａにおける幅方向の中央部に位置するように帯状絶縁体７ａの上に重ねられている。帯状絶縁体７ｂは、帯状絶縁体７ａとの間で接地用導電体８を挟み込むようにして帯状絶縁体７ａの上に重ねられている。一方、信号用帯状導電体９（以下、「信号用導電体」ともいう）は、一端側（巻き終わり端側、言い換えれば最外周部でもある）に規定されて外部に接続される入力部位（本発明における第２接続部位）Ａに入力端子２の一端側が電気的に接続されると共に、他端側（巻始め端側、言い換えれば最内周部でもある）に規定されて外部に接続される出力部位（本発明における第１接続部位）Ｂに出力端子３の一端側が電気的に接続されている。また、信号用導電体９は、帯状絶縁体７ｂにおける幅方向の中央部に位置するように帯状絶縁体７ｂの上に重ねられている。また、接地用導電体８および信号用導電体９は、一例として、同じ幅、同じ長さで、かつ均一な厚みに形成されている。帯状絶縁体７ｃは、その長さが他の帯状絶縁体７ａ，７ｂよりも短く設定されると共に、帯状絶縁体７ｂにおける他端側（巻始め端側）の上に、信号用導電体９の他端側を帯状絶縁体７ｂとの間で挟み込むようにして重ねられている。ここで、「最内周部」とは、接地用導電体８や信号用導電体９における巻始めの１ターンに含まれる部位をいい、「最外周部」とは、接地用導電体８や信号用導電体９における巻き終わりの１ターンに含まれる部位をいう。補助接地用導電体１０は、その長さが他の導電体８，９よりも短く設定されたシート状（または短寸な帯状）に形成されると共に、接地用端子１１の一端側が電気的に接続されている。具体的には、補助接地用導電体１０は、２ターン以内の長さに規定されている。また、補助接地用導電体１０は、帯状絶縁体７ｃの上に、帯状絶縁体７ｃにおける幅方向の中央部に位置するように重ねられている。また、補助接地用導電体１０は、一例として、信号用導電体９と同じ幅で、かつ均一な厚みに形成されている。
【００４３】
コイル部５は、このように互いに重ねられた各帯状絶縁体７ａ，７ｂ，７ｃ、および各導電体８，９，１０を、図３において矢印で示すように、各導電体８，９，１０の他端側（同図中の右端側）を巻き始めとして、かつ信号用導電体９に対して接地用導電体８が外側になるように巻回することにより、全体として図１に示すように、筒状（中心部に空隙Ｈが形成された円筒状）に形成されている。したがって、このコイル部５では、補助接地用導電体１０は、帯状絶縁体７ｃが介在する状態で、出力部位Ｂが規定された信号用導電体９の他端側（最内周部）と対向している。また、各導電体８，９，１０は、相互間に帯状絶縁体７ａ，７ｂ，７ｃのいずれかが介在するため、互いに絶縁された状態で巻回されている。磁性コア６は、この空隙Ｈ内に装着されて、コイル部５の中心部に配設されている。
【００４４】
この場合、信号用導電体９の入力部位Ａは、コイル部５を一方の端面（図１中の上端面）側から見たときに、図２に示すようにコイル部５の外周側部位に位置している。また、信号用導電体９の入力部位Ａに接続された入力端子２は、図１に示すように、コイル部５の一方の端面（同図中の上端面）における外周側部位から他端側が引き出されている。このため、コイル部５を一方の端面側から見た状態において、信号用導電体９の入力部位Ａと入力端子２の引出し部位とはほぼ一致する。したがって、以下では、入力端子２の引出し部位を「引出し部位Ａ」ともいう。一方、信号用導電体９の出力部位Ｂは、コイル部５を一方の端面（図１中の上端面）側から見たときに、図２に示すようにコイル部５の内周側部位に位置している。また、信号用導電体９の出力部位Ｂに接続された出力端子３は、図１に示すように、コイル部５の一方の端面（同図中の上端面）における内周側部位から他端側が引き出されている。このため、コイル部５を一方の端面側から見た状態において、信号用導電体９の出力部位Ｂと出力端子３の引出し部位とはほぼ一致する。したがって、以下では、出力端子３の引出し部位を「引出し部位Ｂ」ともいう。ここで、信号用導電体９の出力部位Ｂ（つまり出力端子３の引出し部位）は、図２に示すように、コイル部５の中心軸Ｏと信号用導電体９の入力部位Ａ（つまり入力端子２の引出し部位）とを含む仮想平面Ｌ（以下、「平面Ｌ」ともいう）上であって、中心軸Ｏ（または磁性コア６）を挟んで入力部位Ａに対して反対側に設定されている。また、接地用導電体８の接地部位Ｃは、コイル部５を一方の端面（図１中の上端面）側から見たときに、図２に示すようにコイル部５の外周側部位に位置している。また、接地用導電体８の接地部位Ｃに接続された接地用端子４は、図１に示すように、コイル部５の一方の端面（同図中の上端面）における外周側部位から他端側が引き出されている。このため、コイル部５を一方の端面側から見た状態において、接地用導電体８の接地部位Ｃと接地用端子４の引出し部位とはほぼ一致する。したがって、以下では、接地用端子４の引出し部位を「引出し部位Ｃ」ともいう。具体的には、接地用端子４の接地部位Ｃは、図２に示すように、平面Ｌ上であって、コイル部５の中心軸Ｏを挟んで入力部位Ａに対して反対側に設定されている。接地用端子１１は、図１に示すように、コイル部５の一方の端面（同図中の上端面）における内周側部位であって出力端子３の引出し部位Ｂ（図２参照）の近傍から他端側が引き出されている。ここで、本明細書における入力端子２等の「引出し部位」とは、入力端子２等がコイル部５から突出するコイル部５の表面における部位をいう。したがって、コイル部５がポットコア（磁性体）等に収容されて、ポットコアから入力端子２等が引き出される部位と、コイル部５から入力端子２等が引き出される部位とが相違する構成においても、コイル部５から引き出される部位が、入力端子２等の「引出し部位」となる。同様にして、コイル部５から引き出した入力端子２等をボビンの足に接続するときにおいても、コイル部５から引き出される部位が、入力端子２等の「引出し部位」となる。したがって、ボビンの足を平面Ｌ上に配設する必要はなく、任意の位置にボビンの足を配設することができる。
【００４５】
このフィルタ素子１によれば、信号用導電体９に対して接地用導電体８が外側になるように各導電体８，９，１０および各帯状絶縁体７ａ，７ｂ，７ｃを巻回して全体として筒状にコイル部５を形成し、信号用導電体９の最内周部に出力部位Ｂを規定すると共に信号用導電体９の最外周部に入力部位Ａを規定し、接地用導電体８の最外周部に接地部位Ｃを規定し、信号用導電体９の最内周部に対向するようにして補助接地用導電体１０をコイル部５に巻き込むことにより、信号用導電体９の最内周部と補助接地用導電体１０との間に分布定数的にキャパシタンスを形成でき、しかも、全長の短い、つまりインダクタンスによる電位の上昇の少ない補助接地用導電体１０を介してこのキャパシタンスを接地することができる。このため、このフィルタ素子１によれば、信号用導電体９における出力端子３が接続された最内周部において、補助接地用導電体１０との間に形成されるキャパシタンスを介してノイズを接地側に良好にバイパスさせることができる結果、高い周波数領域（例えば３ＭＨｚ以上の周波数領域）においても減衰特性を良好に維持することができる。また、信号用導電体９の入力部位Ａおよび出力部位Ｂの位置と、接地用導電体８の接地部位Ｃの位置とを上記のように規定したことにより、所定の周波数帯域において大きな減衰量を確保することができる結果、優れた減衰特性を有するノーマルモード用のフィルタ素子を実現することができる。
【００４６】
（第２の最良の形態）
次に、本形態に係るフィルタ素子２１の構成について、図４〜図６を参照して説明する。なお、フィルタ素子１と同一の構成については同一の符号を付して、重複する説明を省略する。
【００４７】
フィルタ素子２１は、図４に示すように、入力端子２、出力端子３、接地用端子４，１１、コイル部２５および磁性コア６を備えて構成されて、分布定数型のノイズフィルタ（低域通過型のノーマルモードフィルタ）として機能する。
【００４８】
コイル部２５は、図６に示すように、帯状絶縁体７ａ，７ｂ，７ｃおよび導電体８，９，１０を備えている。この場合、信号用導電体９は、一端側（巻き終わり端側、言い換えれば最外周部）に規定された出力部位Ｂに出力端子３の一端側が電気的に接続されると共に、他端側（巻始め端側、言い換えれば最内周部でもある）に規定された入力部位Ａに入力端子２の一端側が電気的に接続されている。また、信号用導電体９は、帯状絶縁体７ａにおける幅方向の中央部に位置するように帯状絶縁体７ａの上に重ねられている。帯状絶縁体７ｃは、帯状絶縁体７ａにおける一端側（巻き終わり端側）の上に、信号用導電体９の一端側（巻き終わり端側）を帯状絶縁体７ａとの間で挟み込むようにして重ねられている。補助接地用導電体１０は、接地用端子１１の一端側が電気的に接続された状態で、帯状絶縁体７ｃにおける幅方向の中央部に位置するように帯状絶縁体７ｃの上に重ねられている。帯状絶縁体７ｂは、帯状絶縁体７ａ，７ｃの上に、信号用導電体９および補助接地用導電体１０を帯状絶縁体７ａとの間で挟み込むようにして重ねられている。接地用導電体８は、他端側（巻始め端側、言い換えれば最内周部でもある）に規定された接地部位Ｃに接地用端子４の一端側が電気的に接続されている。また、接地用導電体８は、帯状絶縁体７ｂの上に重ねられている。つまり、各導電体８，９は、帯状絶縁体７ｂ、補助接地用導電体１０および帯状絶縁体７ｃを挟んだ状態で帯状絶縁体７ａの上に重ねられている。
【００４９】
コイル部２５は、このように互いに重ねられた各帯状絶縁体７ａ，７ｂ，７ｃ、および各導電体８，９，１０を、図６において矢印で示すように、各導電体８，９の他端側（同図中の左端側）を巻き始めとして、かつ接地用導電体８に対して信号用導電体９が外側になるように巻回することにより、図４に示すように、中心部に空隙Ｈが形成された円筒状に形成されている。したがって、このコイル部２５では、補助接地用導電体１０は、帯状絶縁体７ｃが介在する状態で、出力部位Ｂが規定された信号用導電体９の一端側（最外周部）と対向している。また、各導電体８，９，１０は、相互間に帯状絶縁体７ａ，７ｂ，７ｃのいずれかが介在するため、互いに絶縁された状態で巻回されている。コイル部２５の空隙Ｈ内には、磁性コア６が装着されている。
【００５０】
この場合、信号用導電体９の入力部位Ａは、コイル部２５を一方の端面（図４中の上端面）側から見たときに、図５に示すようにコイル部２５の内周側部位に位置している。また、信号用導電体９の入力部位Ａに接続された入力端子２は、図４に示すように、コイル部２５の一方の端面（同図中の上端面）における内周側部位から他端側が引き出されている。このため、コイル部２５を一方の端面側から見た状態において、信号用導電体９の入力部位Ａと入力端子２の引出し部位とはほぼ一致する。したがって、以下では、入力端子２の引出し部位を「引出し部位Ａ」ともいう。一方、信号用導電体９の出力部位Ｂは、コイル部２５を一方の端面（図４中の上端面）側から見たときに、図５に示すようにコイル部２５の外周側部位に位置している。また、信号用導電体９の出力部位Ｂに接続された出力端子３は、図４に示すように、コイル部２５の一方の端面（同図中の上端面）における外周側部位から他端側が引き出されている。このため、コイル部２５を一方の端面側から見た状態において、信号用導電体９の出力部位Ｂと出力端子３の引出し部位とはほぼ一致する。したがって、以下では、出力端子３の引出し部位を「引出し部位Ｂ」ともいう。ここで、信号用導電体９の出力部位Ｂ（つまり出力端子３の引出し部位）は、図５に示すように、コイル部２５の中心軸Ｏと信号用導電体９の入力部位Ａ（つまり入力端子２の引出し部位）とを含む平面Ｌ上であって、中心軸Ｏ（または磁性コア６）を挟んで入力部位Ａに対して反対側に設定されている。また、接地用導電体８の接地部位Ｃは、コイル部２５を一方の端面（図４中の上端面）側から見たときに、図５に示すようにコイル部２５の内周側部位に位置している。また、接地用導電体８の接地部位Ｃに接続された接地用端子４は、図４に示すように、コイル部２５の一方の端面（同図中の上端面）における内周側部位から他端側が引き出されている。このため、コイル部２５を一方の端面側から見た状態において、接地用導電体８の接地部位Ｃと接地用端子４の引出し部位とはほぼ一致する。したがって、以下では、接地用端子４の引出し部位を「引出し部位Ｃ」ともいう。具体的には、接地用端子４の接地部位Ｃは、図５に示すように、平面Ｌ上であって、コイル部２５の中心軸Ｏを挟んで入力部位Ａに対して反対側に設定されている。接地用端子１１は、図４に示すように、コイル部２５の一方の端面（同図中の上端面）における外周側部位であって出力端子３の引出し部位Ｂ（図５参照）の近傍から他端側が引き出されている。
【００５１】
このフィルタ素子２１によれば、接地用導電体８に対して信号用導電体９が外側になるように各導電体８，９，１０および各帯状絶縁体７ａ，７ｂ，７ｃを巻回して全体として筒状にコイル部２５を形成し、信号用導電体９の最内周部に入力部位Ａを規定すると共に信号用導電体９の最外周部に出力部位Ｂを規定し、接地用導電体８の最内周部に接地部位Ｃを規定し、信号用導電体９の最外周部に対向するようにして補助接地用導電体１０をコイル部２５に巻き込むことにより、信号用導電体９の最外周部と補助接地用導電体１０との間に分布定数的にキャパシタンスを形成でき、しかも、全長の短い、つまりインダクタンスによる電位の上昇の少ない補助接地用導電体１０を介してこのキャパシタンスを接地することができる。このため、このフィルタ素子２１によれば、信号用導電体９における出力端子３が接続された最外周部において、補助接地用導電体１０との間に形成されるキャパシタンスを介してノイズを接地側に良好にバイパスさせることができる結果、高い周波数領域（例えば３ＭＨｚ以上の周波数領域）においても減衰特性を良好に維持することができる。また、信号用導電体９の入力部位Ａおよび出力部位Ｂの位置と、接地用導電体８の接地部位Ｃの位置とを上記のように規定したことにより、所定の周波数帯域において大きな減衰量を確保することができる結果、優れた減衰特性を有するノーマルモード用のフィルタ素子を実現することができる。
【００５２】
（第３の最良の形態）
次に、本形態に係るフィルタ素子３１について、図２，７，８を参照して説明する。
【００５３】
まず、フィルタ素子３１の構成について説明する。なお、このフィルタ素子３１は、ノーマルモードフィルタとして機能するフィルタ素子１を基本にしてコモンモードフィルタとして機能可能に構成されているため、その構成要素の多くはフィルタ素子１の構成要素と共通する。したがって、フィルタ素子１と同一の構成については同一の符号を付して、重複する説明を省略する。
【００５４】
フィルタ素子３１は、図７に示すように、一対の入力端子２ａ，２ｂ（以下、区別しないときには「入力端子２」ともいう）、一対の出力端子３ａ，３ｂ（以下、区別しないときには「出力端子３」ともいう）、接地用端子４，１１、コイル部３５および磁性コア６を備えて構成されて、分布定数型のコモンモードノイズフィルタ（低域通過型フィルタ）として機能する。
【００５５】
コイル部３５は、図８に示すように、帯状絶縁体７ａ，７ｂ，７ｃ、接地用導電体８、一対の信号用導電体９ａ，９ｂ（以下、特に区別しないときは「信号用導電体９」ともいう）、および補助接地用導電体１０を備えている。この場合、接地用導電体８は、一端側（巻き終わり端側、言い換えれば最外周部でもある）に規定された接地部位Ｃに接地用端子４が電気的に接続されて、帯状絶縁体７ａの上に重ねられている。帯状絶縁体７ｂは、接地用導電体８を帯状絶縁体７ａとの間で挟み込むようにして帯状絶縁体７ａに重ねられている。各信号用導電体９ａ，９ｂは、一例として同じ幅で、かつ均一な厚みに形成されると共に、帯状絶縁体７ｂの上に互いに接触しないようにして平行に重ねられている。また、各信号用導電体９ａ，９ｂは、各々の一端側（巻き終わり端側、言い換えれば最外周部でもある）に規定された入力部位Ａに入力端子２ａ，２ｂの一端側が電気的にそれぞれ接続されると共に、各々の他端側（巻始め端側、言い換えれば最内周部でもある）に規定された出力部位Ｂに出力端子３ａ，３ｂの一端側が電気的にそれぞれ接続されている。つまり、各導電体８，９は、帯状絶縁体７ｂを相互間で挟んだ状態で、帯状絶縁体７ａ上に重ねられている。帯状絶縁体７ｃは、帯状絶縁体７ｂにおける他端側（巻始め端側）の上に、各信号用導電体９の他端側（巻始め端側）を帯状絶縁体７ｂとの間で挟み込むようにして重ねられている。補助接地用導電体１０は、接地用端子１１が接続されると共に、帯状絶縁体７ｃにおける幅方向の中央部に位置するように帯状絶縁体７ｃの上に重ねられている。
【００５６】
コイル部３５は、このように互いに重ねられた各帯状絶縁体７ａ，７ｂ，７ｃ、および各導電体８，９ａ，９ｂ，１０を、図８において矢印で示すように、各導電体８，９ａ，９ｂ，１０の他端側（同図中の右端側）を巻き始めとして、かつ信号用導電体９ａ，９ｂに対して接地用導電体８が外側になるように巻回することにより、図７に示すように、中心部に空隙Ｈが形成された円筒状に形成されている。したがって、このコイル部３５では、補助接地用導電体１０は、相互間に帯状絶縁体７ｃが介在する状態で、出力部位Ｂが規定された各信号用導電体９ａ，９ｂの他端側（最内周部）と対向している。また、各導電体８，９，１０は、相互間に帯状絶縁体７ａ，７ｂ，７ｃのいずれかが介在するため、互いに絶縁された状態で巻回されている。コイル部１５の空隙Ｈ内には、磁性コア６が装着されている。
【００５７】
この場合、各信号用導電体９ａ，９ｂの入力部位Ａは、コイル部３５を一方の端面（図７中の上端面）側から見たときに、図２に示すように、コイル部５と同様にしてコイル部３５の外周側にそれぞれ位置している。また、各信号用導電体９ａ，９ｂの入力部位Ａにそれぞれ接続された各入力端子２は、図７に示すように、コイル部５と同様にしてコイル部３５の一方の端面（同図中の上端面）における外周側部位から他端側がそれぞれ引き出されている。このため、コイル部３５を一方の端面側から見た状態において、各信号用導電体９の入力部位Ａと各入力端子２の引出し部位とは、コイル部５の場合と同様にしてほぼ一致する。また、各信号用導電体９ａ，９ｂの出力部位Ｂ、および接地用導電体８の接地部位Ｃもコイル部５の場合と同様にして、コイル部３５を一方の端面側から見た状態において、図２に示す位置にそれぞれ位置している。さらに、各出力端子３および接地用端子４の各引出し部位も、コイル部５の場合と同様にして、コイル部３５を一方の端面側から見た状態において、各信号用導電体９の出力部位Ｂおよび接地用導電体８の接地部位Ｃとほぼ一致している。接地用端子１１は、図７に示すように、各出力端子３ａ，３ｂの引出し部位Ｂ（図２参照）の近傍から引き出されている。
【００５８】
このフィルタ素子３１によれば、コモンモードノイズが、入力端子２ａ（入力部位Ａ）から信号用導電体９ａを経由して出力端子３ａ（出力部位Ｂ）に至る経路と、入力端子２ｂ（入力部位Ａ）から信号用導電体９ｂを経由して出力端子３ｂ（その出力部位Ｂ）に至る経路との双方を同時に伝搬して、共に接地用導電体８，１０に流入する。このため、一対の入力端子２ａ，２ｂ（一対の入力部位Ａ）、一対の信号用導電体９ａ，９ｂおよび一対の出力端子３ａ，３ｂ（一対の出力部位Ｂ）は、コモンモードノイズに関しては、それぞれ一つの入力端子２（一つの入力部位Ａ）、一つの信号用導電体９および一つの出力端子３（一つの出力部位Ｂ）であるとみなすことができる。したがって、フィルタ素子３１は、コモンモードノイズに関して、ノーマルモードノイズに対してフィルタ素子１が良好な減衰特性を示すように機能するのと同様にして、良好な減衰特性を示すように機能する。
【００５９】
（第４の最良の形態）
次に、本形態に係るフィルタ素子４１について、図５，９，１０を参照して説明する。
【００６０】
まず、フィルタ素子４１の構成について説明する。なお、フィルタ素子４１は、ノーマルモードフィルタとして機能するフィルタ素子２１を基本にしてコモンモードフィルタとして機能可能に構成されている。このため、フィルタ素子４１は、フィルタ素子２１と共通する構成要素を多く備えている。また、フィルタ素子４１は、フィルタ素子３１と同じくコモンモードフィルタとして機能可能に構成されているため、フィルタ素子３１と共通する構成要素も多く備えている。したがって、フィルタ素子２１やフィルタ素子３１と同一の構成要素については同一の符号を付して、重複する説明を省略する。
【００６１】
フィルタ素子４１は、図９に示すように、一対の入力端子２ａ，２ｂ、一対の出力端子３ａ，３ｂ、接地用端子４，１１、コイル部４５および磁性コア６を備えて構成されて、分布定数型のコモンモードノイズフィルタ（低域通過型フィルタ）として機能する。
【００６２】
コイル部４５は、図１０に示すように、帯状絶縁体７ａ，７ｂ，７ｃ、接地用導電体８、一対の信号用導電体９ａ，９ｂおよび補助接地用導電体１０を備えている。この場合、各信号用導電体９ａ，９ｂは、各一端側（巻き終わり端側）に規定された出力部位Ｂに出力端子３ａ，３ｂが電気的に接続されると共に、各他端側（巻始め端側）に規定された入力部位Ａに入力端子２ａ，２ｂが電気的に接続されて、帯状絶縁体７ａの上にそれぞれ重ねられている。また、各信号用導電体９ａ，９ｂは、一例として同じ幅に形成されている。帯状絶縁体７ｃは、帯状絶縁体７ａにおける一端側（巻き終わり端側）の上に、各信号用導電体９ａ，９ｂの一端側（巻き終わり端側、言い換えれば最外周部でもある）を帯状絶縁体７ａとの間で挟み込むようにして重ねられている。補助接地用導電体１０は、接地用端子１１の一端側が電気的に接続された状態で、帯状絶縁体７ｃの上に、帯状絶縁体７ｃにおける幅方向の中央部に位置するように重ねられている。帯状絶縁体７ｂは、帯状絶縁体７ａ，７ｃの上に、各信号用導電体９ａ，９ｂおよび補助接地用導電体１０を帯状絶縁体７ａとの間で挟み込むようにして重ねられている。接地用導電体８は、他端側（巻始め端側）に規定された接地部位Ｃに接地用端子４の一端側が電気的に接続されている。また、接地用導電体８は、帯状絶縁体７ｂの上に重ねられている。つまり、各導電体８，９ａ，９ｂは、帯状絶縁体７ｂを帯状絶縁体７ａとの間で挟み込むようにして帯状絶縁体７ａに重ねられている。つまり、各導電体８，９ａ，９ｂは、帯状絶縁体７ｂ、補助接地用導電体１０および帯状絶縁体７ｃを挟んだ状態で重ねられている。
【００６３】
コイル部４５は、このように互いに重ねられた各帯状絶縁体７ａ，７ｂ，７ｃ、および各導電体８，９ａ，９ｂ，１０を、図１０において矢印で示すように、各導電体８，９ａ，９ｂの他端側を巻き始めとして、かつ接地用導電体８に対して信号用導電体９ａ，９ｂが外側になるように巻回することにより、図９に示すように、中心部に空隙Ｈが形成された円筒状に形成されている。したがって、このコイル部４５では、補助接地用導電体１０は、相互間に帯状絶縁体７ｃが介在する状態で、出力部位Ｂがそれぞれ規定された各信号用導電体９ａ，９ｂの一端側（最外周部）と対向している。また、各導電体８，９，１０は、相互間に帯状絶縁体７ａ，７ｂ，７ｃのいずれかが介在するため、互いに絶縁された状態で巻回されている。コイル部４５の空隙Ｈ内には、磁性コア６が装着されている。
【００６４】
この場合、各信号用導電体９ａ，９ｂの入力部位Ａは、コイル部４５を一方の端面（図９中の上端面）側から見たときに、図５に示すように、コイル部２５と同様にしてコイル部４５の内周側にそれぞれ位置している。また、各信号用導電体９ａ，９ｂの入力部位Ａにそれぞれ接続された各入力端子２は、図９に示すように、コイル部２５と同様にしてコイル部４５の一方の端面（同図中の上端面）における内周側部位から他端側がそれぞれ引き出されている。このため、コイル部４５を一方の端面側から見た状態において、各信号用導電体９の入力部位Ａと各入力端子２の引出し部位とは、コイル部２５の場合と同様にしてほぼ一致する。また、各信号用導電体９ａ，９ｂの出力部位Ｂ、および接地用導電体８の接地部位Ｃもコイル部２５の場合と同様にして、コイル部４５を一方の端面側から見た状態において、図５に示す位置にそれぞれ位置している。さらに、各出力端子３および接地用端子４の各引出し部位も、コイル部２５の場合と同様にして、コイル部４５を一方の端面側から見た状態において、各信号用導電体９の出力部位Ｂおよび接地用導電体８の接地部位Ｃとほぼ一致している。接地用端子１１は、図９に示すように、各出力端子３ａ，３ｂの引出し部位Ｂ（図５参照）の近傍から引き出されている。
【００６５】
このフィルタ素子４１によれば、コモンモードノイズに関しては、フィルタ素子３１と同様にして、一対の入力端子２ａ，２ｂ（一対の入力部位Ａ）、一対の信号用導電体９ａ，９ｂおよび一対の出力端子３ａ，３ｂ（一対の出力部位Ｂ）を、それぞれ一つの入力端子２（一つの入力部位Ａ）、一つの信号用導電体９および一つの出力端子３（一つの出力部位Ｂ）としてみなすことができる。したがって、フィルタ素子４１は、コモンモードノイズに関して、ノーマルモードノイズに対してフィルタ素子２１が良好な減衰特性を示すように機能するのと同様にして、良好な減衰特性を示すように機能する。
【００６６】
なお、本発明は、上記した構成に限定されない。例えば、上述した各フィルタ素子１，３１では、図３，８に示すように、接地用導電体８との間で信号用導電体９（９ａ，９ｂ）を挟む位置に補助接地用導電体１０がそれぞれ配設されているが、同図において破線で示すように、接地用導電体８と信号用導電体９（９ａ，９ｂ）との間に補助接地用導電体１０を配設する構成を採用することもできる。一方、上述した各フィルタ素子２１，４１では、図６，１０に示すように、接地用導電体８と信号用導電体９（９ａ，９ｂ）との間に補助接地用導電体１０が配設されているが、同図において破線で示すように、接地用導電体８との間で信号用導電体９（９ａ，９ｂ）を挟む位置に補助接地用導電体１０を配設する構成を採用することもできる。
【００６７】
また、図３，８では破線で示し、図６，１０では実線で示すように、接地用導電体８と信号用導電体９（９ａ，９ｂ）との間に補助接地用導電体１０を配設した各構成では、補助接地用導電体１０は、信号用導電体９（９ａ，９ｂ）から見て、接地用導電体８の手前側に位置し、かつ接地用導電体８と重なった状態にある。この場合、補助接地用導電体１０と信号用導電体９（９ａ，９ｂ）との間に主として分布定数的にキャパシタンスが形成され、補助接地用導電体１０の裏面側に位置する接地用導電体８の部位と信号用導電体９（９ａ，９ｂ）との間にはキャパシタンスは殆ど形成されない。つまり、信号用導電体９（９ａ，９ｂ）から見て補助接地用導電体１０の裏面側に位置する接地用導電体８の部位は、フィルタとしての機能に殆ど寄与していない。したがって、接地用導電体８と信号用導電体９（９ａ，９ｂ）との間に補助接地用導電体１０を配設した各構成のフィルタ素子は、接地用導電体８から補助接地用導電体１０の裏面側に位置する部位を省いたとしても、十分にフィルタ機能を発揮する。ところで、この構成は、接地用導電体８における信号用導電体９（９ａ，９ｂ）の出力部位Ｂを含む部位（最内周部または最外周部）との対向部位を接地用導電体８の他の部位から分離（分割）して補助接地用導電体１０として用いる構成と同じ構成となる。次に、この構成を採用した各フィルタ素子５１，６１，７１，８１について、図１１，１２，１３，１４を参照してそれぞれ具体的に説明する。
【００６８】
（第５の最良の形態）
最初に、図１，２，１１を参照してフィルタ素子５１の構成について説明する。なお、フィルタ素子５１は、その構成がフィルタ素子１の構成と類似するため、フィルタ素子１と同一の構成については同一の符号を付して、重複する説明を省略する。
【００６９】
フィルタ素子５１は、図１に示すように、入力端子２、出力端子３、接地用端子４，１１、コイル部５５および磁性コア６を備えて構成されて、分布定数型のノイズフィルタ（低域通過型のノーマルモードフィルタ）として機能する。
【００７０】
コイル部５５は、図１１に示すように、帯状絶縁体７ａ，７ｂ、接地用帯状導電体８、信号用帯状導電体９および補助接地用導電体１０を備えている。この場合、接地用導電体８は、一端側（巻き終わり端側）に規定された接地部位Ｃに接地用端子４の一端側が電気的に接続された状態で、帯状絶縁体７ａの上に重ねられている。また、接地用導電体８では、出力端子３が接続された出力部位Ｂを含む信号用導電体９における他端側（同図中の右端側）との対向部位（巻始め端側の部位）が他の部位から分離（分割）されている。補助接地用導電体１０は、接地用導電体８におけるこの巻始め端側の部位で形成されて、接地用端子１１が接続されている。また、補助接地用導電体１０は、その長さ（接地用導電体８の長さ方向に沿った長さをいう）が、接地用導電体８における残りの部位と比較して十分に短くなるように規定されている。具体的には、補助接地用導電体１０は、接地用導電体８の１／５の長さ以内に規定されている。以下、本最良の形態では、補助接地用導電体１０が分離された接地用導電体８の他の部位（残りの部位）を接地用導電体８として説明する。帯状絶縁体７ｂは、帯状絶縁体７ａの上に、接地用導電体８および補助接地用導電体１０を帯状絶縁体７ａとの間で挟み込むようにして重ねられている。信号用導電体９は、一端側（巻き終わり端側）に規定された入力部位Ａに入力端子２が接続されると共に、他端側（巻始め端側）に規定された出力部位Ｂに出力端子３が接続された状態で、帯状絶縁体７ｂの上に重ねられている。
【００７１】
コイル部５５は、このように互いに重ねられた各帯状絶縁体７ａ，７ｂ、および各導電体８，９，１０を、図１１において矢印で示すように、補助接地用導電体１０側（同図中の右端側）を巻き始めとして、かつ信号用導電体９に対して接地用導電体８が外側になるように巻回することにより、図１に示すように、筒状に形成されている。したがって、このコイル部５５では、補助接地用導電体１０は、帯状絶縁体７ｂが介在する状態で、出力部位Ｂが規定された信号用導電体９の他端側（最内周部）と対向している。また、各導電体８，１０と信号用導電体９とは、相互間に帯状絶縁体７ｂが介在するため、互いに絶縁された状態で巻回されている。また、接地用導電体８と補助接地用導電体１０とは、分離状態を維持したまま、つまり互いに非接触な状態（絶縁状態）を維持したまま巻回されている。磁性コア６は、この空隙Ｈ内に装着されて、コイル部５の中心部に配設されている。この場合、信号用導電体９の入力部位Ａ（入力端子２の引出し部位）、信号用導電体９の出力部位Ｂ（出力端子３の引出し部位）、および接地用導電体８の接地部位Ｃ（接地用端子４の引出し部位）は、フィルタ素子１と同様にして、図２に示す位置に位置している。接地用端子１１は、図１に示すように、出力端子３の引出し部位Ｂ（図２参照）の近傍から引き出されている。
【００７２】
（第６の最良の形態）
次いで、図４，５，１２を参照してフィルタ素子６１の構成について説明する。なお、フィルタ素子６１は、その構成がフィルタ素子２１の構成と類似するため、フィルタ素子２１と同一の構成については同一の符号を付して、重複する説明を省略する。
【００７３】
フィルタ素子６１は、図４に示すように、入力端子２、出力端子３、接地用端子４，１１、コイル部６５および磁性コア６を備えて構成されて、分布定数型のノイズフィルタ（低域通過型のノーマルモードフィルタ）として機能する。
【００７４】
コイル部６５は、図１２に示すように、帯状絶縁体７ａ，７ｂ、接地用帯状導電体８、信号用帯状導電体９および補助接地用導電体１０を備えている。この場合、信号用導電体９は、一端側（巻き終わり端側）に規定された出力部位Ｂに出力端子３が接続されると共に、他端側（巻始め端側）に規定された入力部位Ａに入力端子２が接続されて帯状絶縁体７ａの上に重ねられている。帯状絶縁体７ｂは、信号用導電体９を帯状絶縁体７ａとの間で挟み込むようにして帯状絶縁体７ａの上に重ねられている。接地用導電体８は、他端側（巻始め端側）に規定された接地部位Ｃに接地用端子４が接続された状態で、帯状絶縁体７ｂの上に重ねられている。また、接地用導電体８では、出力端子３が接続された出力部位Ｂを含む信号用導電体９における一端側（同図中の右端側）との対向部位（巻き終わり端側の部位）が他の部位から分離（分割）されている。補助接地用導電体１０は、接地用導電体８におけるこの分離された巻き終わり端側の部位で形成されて、接地用端子１１が接続されている。また、補助接地用導電体１０は、その長さ（接地用導電体８の長さ方向に沿った長さをいう）が、フィルタ素子５１と同様にして、接地用導電体８における残りの部位と比較して十分に短くなるように規定されている。以下、本最良の形態では、補助接地用導電体１０が分離された接地用導電体８の他の部位（残りの部位）を接地用導電体８として説明する。
【００７５】
コイル部６５は、このように互いに重ねられた各帯状絶縁体７ａ，７ｂ、および各導電体８，９，１０を、図１２において矢印で示すように、各導電体８，９の他端側（同図中の左側端）を巻き始めとして、かつ接地用導電体８に対して信号用導電体９が外側になるように巻回することにより、図４に示すように、中心部に空隙Ｈが形成された円筒状に形成されている。したがって、このコイル部６５では、補助接地用導電体１０は、帯状絶縁体７ｂが介在する状態で、出力部位Ｂが規定された信号用導電体９の一端側（最外周部）と対向している。また、各導電体８，１０と信号用導電体９とは、相互間に帯状絶縁体７ｂが介在するため、互いに絶縁された状態で巻回されている。また、接地用導電体８と補助接地用導電体１０とは、分離状態を維持したまま、つまり互いに非接触な状態（絶縁状態）を維持したまま巻回されている。コイル部６５の空隙Ｈ内には、磁性コア６が装着されている。この場合、信号用導電体９の入力部位Ａ（入力端子２の引出し部位）、信号用導電体９の出力部位Ｂ（出力端子３の引出し部位）、および接地用導電体８の接地部位Ｃ（接地用端子４の引出し部位）は、フィルタ素子２１と同様にして、図５に示す位置に位置している。接地用端子１１は、図４に示すように、出力端子３の引出し部位Ｂ（図５参照）の近傍から引き出されている。
【００７６】
上記したフィルタ素子５１，６１では、フィルタ素子５１については出力部位Ｂが規定された信号用導電体９の最内周部と補助接地用導電体１０との間に、またフィルタ素子６１については出力部位Ｂが規定された信号用導電体９の最外周部と補助接地用導電体１０との間に、分布定数的にキャパシタンスがそれぞれ形成され、しかも、全長の短い、つまりインダクタンスによる電位の上昇の少ない補助接地用導電体１０を介してこのキャパシタンスが接地されている。このため、このフィルタ素子５１，６１によれば、信号用導電体９における出力端子３が接続された最内周部または最外周部において、補助接地用導電体１０との間に形成されるキャパシタンスを介してノイズを接地側に良好にバイパスさせることができる結果、高い周波数領域（例えば３ＭＨｚ以上の周波数領域）においても減衰特性を良好に維持することができる。また、フィルタ素子５１，６１では、入力部位Ａ（入力端子２の引出し部位）、出力部位Ｂ（出力端子３の引出し部位）および接地部位Ｃ（接地用端子４の引出し部位）の位置を上記のように規定したことにより、所定の周波数帯域において大きな減衰量を確保することができる結果、優れた減衰特性を有するノーマルモード用のフィルタ素子を実現することができる。さらに、フィルタ素子１，２１と比較して、帯状絶縁体７ｃを不要にすることができるため、小型化および軽量化を図ることができる。
【００７７】
（第７の最良の形態）
続いて、図２，７，１３を参照してフィルタ素子７１の構成について説明する。なお、フィルタ素子７１は、その構成がフィルタ素子３１の構成と類似するため、フィルタ素子３１と同一の構成については同一の符号を付して、重複する説明を省略する。
【００７８】
フィルタ素子７１は、図７に示すように、一対の入力端子２ａ，２ｂ、一対の出力端子３ａ，３ｂ、接地用端子４，１１、コイル部７５および磁性コア６を備えて構成されて、分布定数型のコモンモードノイズフィルタ（低域通過型フィルタ）として機能する。
【００７９】
コイル部７５は、図１３に示すように、帯状絶縁体７ａ，７ｂ、接地用帯状導電体８、一対の信号用導電体９ａ，９ｂ、および補助接地用導電体１０を備えている。この場合、接地用導電体８は、一端側（巻き終わり端側）に規定された接地部位Ｃに接地用端子４が接続された状態で、帯状絶縁体７ａの上に重ねられている。また、接地用導電体８では、出力端子３が接続された出力部位Ｂを含む信号用導電体９における他端側（同図中の右端側）との対向部位（巻始め端側の部位）が他の部位から分離（分割）されている。補助接地用導電体１０は、接地用導電体８におけるこの分離された巻始め端側の部位で形成されて、接地用端子１１が接続されている。また、補助接地用導電体１０は、フィルタ素子５１と同様にして、その長さ（接地用導電体８の長さ方向に沿った長さをいう）が接地用導電体８における残りの部位と比較して十分に短くなるように規定されている。帯状絶縁体７ｂは、接地用導電体８および補助接地用導電体１０を帯状絶縁体７ａとの間で挟み込むようにして帯状絶縁体７ａの上に重ねられている。各信号用導電体９ａ，９ｂは、一端側（巻き終わり端側）に規定された入力部位Ａに入力端子２ａ，２ｂがそれぞれ接続されると共に、他端側（巻始め端側）に規定された出力部位Ｂに出力端子３ａ，３ｂがそれぞれ接続された状態で、帯状絶縁体７ｂの上に重ねられている。以下、本最良の形態では、補助接地用導電体１０が分離された接地用導電体８の他の部位（残りの部位）を接地用導電体８として説明する。
【００８０】
コイル部７５は、このように互いに重ねられた各帯状絶縁体７ａ，７ｂ、および各導電体８，９ａ，９ｂ，１０を、図１３において矢印で示すように、導電体１０側（同図中の右端側）を巻き始めとして、かつ各信号用導電体９ａ，９ｂに対して接地用導電体８が外側になるように巻回することにより、図７に示すように、中心部に空隙Ｈが形成された円筒状に形成されている。したがって、このコイル部７５では、補助接地用導電体１０は、帯状絶縁体７ｂが介在する状態で、出力部位Ｂが規定された各信号用導電体９ａ，９ｂの他端側（最内周部）と対向している。また、各導電体８，１０と各信号用導電体９とは、相互間に帯状絶縁体７ｂが介在するため、互いに絶縁された状態で巻回されている。また、接地用導電体８と補助接地用導電体１０とは、分離状態を維持したまま、つまり互いに非接触な状態（絶縁状態）を維持したまま巻回されている。磁性コア６は、この空隙Ｈ内に装着されて、コイル部７５の中心部に配設されている。この場合、各信号用導電体９の入力部位Ａ（各入力端子２ａ，２ｂの引出し部位）、各信号用導電体９の出力部位Ｂ（各出力端子３ａ，３ｂの引出し部位）、および接地用導電体８の接地部位Ｃ（接地用端子４の引出し部位）は、フィルタ素子３１と同様にして、図２に示す位置に位置している。接地用端子１１は、図７に示すように、各出力端子３ａ，３ｂの引出し部位Ｂ（図２参照）の近傍から引き出されている。
【００８１】
（第８の最良の形態）
次いで、図５，９，１４を参照してフィルタ素子８１の構成について説明する。なお、フィルタ素子８１は、その構成がフィルタ素子４１の構成と類似するため、フィルタ素子４１と同一の構成については同一の符号を付して、重複する説明を省略する。
【００８２】
フィルタ素子８１は、図９に示すように、一対の入力端子２ａ，２ｂ、一対の出力端子３ａ，３ｂ、接地用端子４，１１、コイル部８５および磁性コア６を備えて構成されて、分布定数型のコモンモードノイズフィルタ（低域通過型フィルタ）として機能する。
【００８３】
コイル部８５は、図１４に示すように、帯状絶縁体７ａ，７ｂ、接地用帯状導電体８、一対の信号用導電体９ａ，９ｂ、および補助接地用導電体１０を備えている。この場合、各信号用導電体９ａ，９ｂは、一端側（巻き終わり端側）に規定された出力部位Ｂに出力端子３ａ，３ｂが接続されると共に、他端側（巻始め端側）に規定された入力部位Ａに入力端子２ａ，２ｂが接続されて帯状絶縁体７ａの上にそれぞれ重ねられている。帯状絶縁体７ｂは、帯状絶縁体７ａの上に、各信号用導電体９ａ，９ｂを帯状絶縁体７ａとの間で挟み込むようにして重ねられている。接地用導電体８は、他端側（巻始め端側）に規定された接地部位Ｃに接地用端子４が接続された状態で、帯状絶縁体７ｂの上に重ねられている。また、接地用導電体８では、出力端子３が接続された出力部位Ｂを含む信号用導電体９における一端側（同図中の右端側）との対向部位（巻き終わり端側の部位）が他の部位から分離されている。補助接地用導電体１０は、接地用導電体８におけるこの分離された巻き終わり端側の部位で形成されて、接地用端子１１が接続されている。また、補助接地用導電体１０は、フィルタ素子５１と同様にして、その長さ（接地用導電体８の長さ方向に沿った長さをいう）が接地用導電体８における残りの部位と比較して十分に短くなるように規定されている。
【００８４】
コイル部８５は、このように互いに重ねられた各帯状絶縁体７ａ，７ｂ、および各導電体８，９ａ，９ｂ，１０を、図１４において矢印で示すように、各導電体８，９の他端側（同図中の左側端）を巻き始めとして、かつ接地用導電体８に対して各信号用導電体９ａ，９ｂが外側になるように巻回することにより、図９に示すように、中心部に空隙Ｈが形成された円筒状に形成されている。したがって、このコイル部８５では、補助接地用導電体１０は、帯状絶縁体７ｂが介在する状態で、出力部位Ｂが規定された各信号用導電体９ａ，９ｂの一端側（最外周部）と対向している。また、各導電体８，１０と各信号用導電体９とは、相互間に帯状絶縁体７ｂが介在するため、互いに絶縁された状態で巻回されている。また、接地用導電体８と補助接地用導電体１０とは、分離状態を維持したまま、つまり互いに非接触な状態（絶縁状態）を維持したまま巻回されている。コイル部８５の空隙Ｈ内には、磁性コア６が装着されている。この場合、各信号用導電体９の入力部位Ａ（入力端子２の引出し部位）、各信号用導電体９の出力部位Ｂ（出力端子３の引出し部位）、および接地用導電体８の接地部位Ｃ（接地用端子４の引出し部位）は、フィルタ素子４１と同様にして、図５に示す位置に位置している。接地用端子１１は、図９に示すように、出力端子３の引出し部位Ｂ（図５参照）の近傍から引き出されている。
【００８５】
上記したフィルタ素子７１，８１では、コモンモードノイズに関しては、フィルタ素子３１，４１と同様にして、一対の入力端子２ａ，２ｂ（一対の入力部位Ａ）、一対の信号用導電体９ａ，９ｂおよび一対の出力端子３ａ，３ｂ（一対の出力部位Ｂ）を、それぞれ一つの入力端子２（一つの入力部位Ａ）、一つの信号用導電体９および一つの出力端子３（一つの出力部位Ｂ）としてみなすことができる。したがって、フィルタ素子７１，８１は、コモンモードノイズに関して、ノーマルモードノイズに対してフィルタ素子５１，６１が良好な減衰特性を示すように機能するのと同様にして、良好な減衰特性を示すように機能する。また、フィルタ素子５１，６１と同様にして、帯状絶縁体７ｃを不要にすることができるため、フィルタ素子の小型化および軽量化を図ることができる。
【００８６】
なお、本発明は、上記した構成に限定されない。例えば、上述した各フィルタ素子１，３１，５１，７１および各フィルタ素子２１，４１，６１，８１では、出力部位Ｂ（出力端子３（３ａ，３ｂ）の引出し部位）をそれぞれ図２，５に示すように、中心軸Ｏを挟んで入力端子２（２ａ，２ｂ）に対して反対側に位置するように規定したが、図１５，１９に示す各フィルタ素子９１，１１１，１３１，１５１、および図１７，２０に示す各フィルタ素子１０１，１２１，１４１，１６１のように、中心軸Ｏを基準として入力端子２（２ａ，２ｂ）と同じ側に位置するように出力部位Ｂ（出力端子３（３ａ，３ｂ）の引出し部位）を規定することもできる。以下、具体的に、各フィルタ素子９１，１１１，１３１，１５１、および各フィルタ素子１０１，１２１，１４１，１６１について説明する。
【００８７】
（第９の最良の形態）
最初に、本形態に係るフィルタ素子９１について、図３，１５，１６を参照して説明する。なお、フィルタ素子９１は、出力端子３についての引出し部位Ｂの配置以外の構成はフィルタ素子１の構成と同一のため、フィルタ素子１と同一の構成については同一の符号を付して、重複する説明を省略する。
【００８８】
フィルタ素子９１は、図１５に示すように、入力端子２、出力端子３、接地用端子４，１１、コイル部９５および磁性コア６を備えて構成されて、分布定数型のノイズフィルタ（低域通過型のノーマルモードフィルタ）として機能する。
【００８９】
コイル部９５は、図３に示すように、帯状絶縁体７ａ，７ｂ，７ｃ、接地用導電体８、信号用導電体９および補助接地用導電体１０を備えている。この場合、帯状絶縁体７ａ，７ｂ，７ｃ、接地用導電体８、信号用導電体９および補助接地用導電体１０は、コイル部５と同様にして互いに重ねられている。また、接地用導電体８に規定された接地部位Ｃには接地用端子４が、また信号用導電体９に規定された入力部位Ａおよび出力部位Ｂには入力端子２および出力端子３が、また補助接地用導電体１０には接地用端子１１が、それぞれコイル部５と同様にして接続されている。なお、補助接地用導電体１０については、図３において実線で示すように、接地用導電体８との間で信号用導電体９を挟む位置に補助接地用導電体１０を配設することもできるし、同図において破線で示すように、接地用導電体８と信号用導電体９との間に補助接地用導電体１０を配設することもできる。
【００９０】
コイル部９５は、このように互いに重ねられた各帯状絶縁体７ａ，７ｂ，７ｃ、および各導電体８，９，１０を、図３において矢印で示すように、各導電体８，９，１０の他端側（同図中の右端側）を巻き始めとして、かつ信号用導電体９に対して接地用導電体８が外側になるように巻回することにより、図１５に示すように、中心部に空隙Ｈが形成された円筒状に形成されている。したがって、このコイル部９５では、補助接地用導電体１０は、相互間に帯状絶縁体７ｃが介在する状態で、出力部位Ｂが規定された信号用導電体９の他端側（最内周部）と対向している。磁性コア６は、この空隙Ｈ内に装着されて、コイル部９５の中心部に配設されている。
【００９１】
この場合、信号用導電体９の入力部位Ａは、コイル部９５を一方の端面（図１５中の上端面）側から見たときに、図１６に示すように、コイル部５と同様にしてコイル部９５の外周側部位に位置している。また、信号用導電体９の入力部位Ａに接続された入力端子２は、図１５に示すように、コイル部５と同様にしてコイル部９５の一方の端面（同図中の上端面）における外周側部位から他端側が引き出されている。このため、コイル部９５を一方の端面側から見た状態において、信号用導電体９の入力部位Ａと入力端子２の引出し部位とはほぼ一致する。一方、接地用導電体８の接地部位Ｃは、コイル部９５を一方の端面側から見たときに、図１６に示すように、コイル部９５の外周側部位に位置している。また、接地用導電体８の接地部位Ｃに接続された接地用端子４は、図１５に示すように、コイル部５と同様にしてコイル部９５の一方の端面における外周側部位から他端側が引き出されている。このため、コイル部９５を一方の端面側から見た状態において、接地用導電体８の接地部位Ｃと接地用端子４の引出し部位とはほぼ一致する。ここで、接地用導電体８の接地部位Ｃ（つまり接地用端子４の引出し部位Ｃ）は、図１６に示すように、コイル部５の中心軸Ｏと入力部位Ａ（つまり入力端子２の引出し部位Ａ）とを含む平面Ｌ上であって、中心軸Ｏを挟んで入力部位Ａに対して反対側に設定されている。また、信号用導電体９の出力部位Ｂは、コイル部９５を一方の端面側から見たときに、図１６に示すように、コイル部５と同様にして、コイル部９５の中心側（内周側）に位置している。また、信号用導電体９の出力部位Ｂに接続された出力端子３は、図１５に示すように、コイル部９５の一方の端面における内周側部位から他端側がほぼ直角に引き出されている。このため、コイル部９５を一方の端面側から見た状態において、信号用導電体９の出力部位Ｂと出力端子３の引出し部位とはほぼ一致する。ここで、信号用導電体９の出力部位Ｂ（出力端子３の引出し部位Ｂ）は、図１６に示すように、コイル部５とは異なり、平面Ｌ上であって、中心軸Ｏを挟んで接地部位Ｃに対して反対側に設定されている。つまり、信号用導電体９の出力部位Ｂ（出力端子３の引出し部位）は、中心軸Ｏを基準として入力部位Ａ（入力端子２の引出し部位）と同じ側に位置している。接地用端子１１は、図１５に示すように、コイル部９５の一方の端面における内周側部位であって出力端子３の引出し部位Ｂの近傍から引き出されている。
【００９２】
（第１０の最良の形態）
次いで、本形態に係るフィルタ素子１０１について、図６，１７，１８を参照して説明する。なお、フィルタ素子１０１は、出力端子３についての引出し部位Ｂの配置以外の構成はフィルタ素子２１の構成と同一のため、フィルタ素子２１と同一の構成については同一の符号を付して、重複する説明を省略する。
【００９３】
フィルタ素子１０１は、図１７に示すように、入力端子２、出力端子３、接地用端子４，１１、コイル部１０５および磁性コア６を備えて構成されて、分布定数型のノイズフィルタ（低域通過型のノーマルモードフィルタ）として機能する。
【００９４】
コイル部１０５は、図６に示すように、帯状絶縁体７ａ，７ｂ，７ｃ、接地用導電体８、信号用導電体９および補助接地用導電体１０を備えている。この場合、帯状絶縁体７ａ，７ｂ，７ｃ、接地用導電体８、信号用導電体９および補助接地用導電体１０は、コイル部２５と同様にして互いに重ねられている。また、接地用導電体８に規定された接地部位Ｃには接地用端子４が、また信号用導電体９に規定された入力部位Ａおよび出力部位Ｂには入力端子２および出力端子３が、また補助接地用導電体１０には接地用端子１１が、それぞれコイル部２５と同様にして接続されている。なお、補助接地用導電体１０については、図６において実線で示すように、接地用導電体８と信号用導電体９との間に補助接地用導電体１０を配設することもできるし、同図において破線で示すように、接地用導電体８との間で信号用導電体９を挟む位置に補助接地用導電体１０を配設することもできる。
【００９５】
コイル部１０５は、このように互いに重ねられた各帯状絶縁体７ａ，７ｂ，７ｃ、および各導電体８，９，１０を、図６において矢印で示すように、各導電体８，９の他端側（同図中の左端側）を巻き始めとして、かつ接地用導電体８に対して信号用導電体９が外側になるように巻回することにより、図１７に示すように、中心部に空隙Ｈが形成された円筒状に形成されている。したがって、このコイル部１０５では、補助接地用導電体１０は、相互間に帯状絶縁体７ｃが介在する状態で、出力部位Ｂが規定された信号用導電体９の一端側（最外周部）と対向している。コイル部１０５の空隙Ｈ内には、磁性コア６が装着されている。
【００９６】
この場合、信号用導電体９の入力部位Ａは、コイル部１０５を一方の端面（図１７中の上端面）側から見たときに、図１８に示すように、コイル部２５と同様にしてコイル部１０５の内周側部位に位置している。また、信号用導電体９の入力部位Ａに接続された入力端子２は、図１７に示すように、コイル部２５と同様にしてコイル部１０５の一方の端面（同図中の上端面）における内周側部位から他端側が引き出されている。このため、コイル部１０５を一方の端面側から見た状態において、信号用導電体９の入力部位Ａと入力端子２の引出し部位とはほぼ一致する。一方、接地用導電体８の接地部位Ｃは、コイル部１０５を一方の端面側から見たときに、図１８に示すように、コイル部１０５の内周側部位に位置している。また、接地用導電体８の接地部位Ｃに接続された接地用端子４は、図１７に示すように、コイル部２５と同様にしてコイル部１０５の一方の端面における内周側部位から他端側が引き出されている。このため、コイル部１０５を一方の端面側から見た状態において、接地用導電体８の接地部位Ｃと接地用端子４の引出し部位とはほぼ一致する。ここで、接地用導電体８の接地部位Ｃ（つまり接地用端子４の引出し部位Ｃ）は、図１８に示すように、コイル部１０５の中心軸Ｏと入力部位Ａ（入力端子２の引出し部位Ａ）とを含む平面Ｌ上であって、中心軸Ｏを挟んで入力部位Ａに対して反対側に設定されている。また、信号用導電体９の出力部位Ｂは、コイル部１０５を一方の端面側から見たときに、図１８に示すように、コイル部１０５の外周側部位に位置している。また、信号用導電体９の出力部位Ｂに接続された出力端子３は、図１７に示すように、コイル部１０５の一方の端面における外周側部位から他端側が引き出されている。このため、コイル部１０５を一方の端面側から見た状態において、信号用導電体９の出力部位Ｂと出力端子３の引出し部位とはほぼ一致する。ここで、信号用導電体９の出力部位Ｂ（出力端子３の引出し部位Ｂ）は、図１８に示すように、コイル部２５とは異なり、平面Ｌ上であって、中心軸Ｏを挟んで接地部位Ｃに対して反対側に設定されている。つまり、信号用導電体９の出力部位Ｂ（出力端子３の引出し部位）は、中心軸Ｏを基準として入力部位Ａ（入力端子２の引出し部位）と同じ側に位置している。接地用端子１１は、図１７に示すように、コイル部１０５の一方の端面における外周側部位であって出力端子３の引出し部位Ｂ（図１８参照）の近傍から引き出されている。
【００９７】
（第１１の最良の形態）
続いて、本形態に係るフィルタ素子１１１について、図８，１６，１９を参照して説明する。なお、フィルタ素子１１１は、出力端子３ａ，３ｂについての引出し部位Ｂの配置以外の構成はフィルタ素子３１の構成と同一のため、フィルタ素子３１と同一の構成については同一の符号を付して、重複する説明を省略する。
【００９８】
フィルタ素子１１１は、図１９に示すように、入力端子２ａ，２ｂ、出力端子３ａ，３ｂ、接地用端子４，１１、コイル部１１５および磁性コア６を備えて構成されて、分布定数型のノイズフィルタ（低域通過型のコモンモードフィルタ）として機能する。
【００９９】
コイル部１１５は、図８に示すように、帯状絶縁体７ａ，７ｂ，７ｃ、接地用導電体８、信号用導電体９ａ，９ｂおよび補助接地用導電体１０を備えている。この場合、帯状絶縁体７ａ，７ｂ，７ｃ、接地用導電体８、信号用導電体９ａ，９ｂおよび補助接地用導電体１０は、コイル部３５と同様にして互いに重ねられている。また、接地用導電体８に規定された接地部位Ｃには接地用端子４が、また信号用導電体９ａ，９ｂにそれぞれ規定された入力部位Ａおよび出力部位Ｂには入力端子２ａ，２ｂおよび出力端子３ａ，３ｂが、また補助接地用導電体１０には接地用端子１１が、それぞれコイル部３５と同様にして接続されている。なお、補助接地用導電体１０については、図８において実線で示すように、接地用導電体８との間で各信号用導電体９ａ，９ｂを挟む位置に補助接地用導電体１０を配設することもできるし、同図において破線で示すように、接地用導電体８と各信号用導電体９ａ，９ｂとの間に補助接地用導電体１０を配設することもできる。
【０１００】
コイル部１１５は、このように互いに重ねられた各帯状絶縁体７ａ，７ｂ，７ｃ、および各導電体８，９ａ，９ｂ，１０を、図８において矢印で示すように、各導電体８，９ａ，９ｂ，１０の他端側（同図中の右端側）を巻き始めとして、かつ各信号用導電体９ａ，９ｂに対して接地用導電体８が外側になるように巻回することにより、図１９に示すように、中心部に空隙Ｈが形成された円筒状に形成されている。したがって、このコイル部１１５では、補助接地用導電体１０は、帯状絶縁体７ｃが介在する状態で、出力部位Ｂがそれぞれ規定された各信号用導電体９ａ，９ｂの他端側（最内周部）と対向している。磁性コア６は、この空隙Ｈ内に装着されて、コイル部１１５の中心部に配設されている。この場合、各信号用導電体９の入力部位Ａ（入力端子２ａ，２ｂの引出し部位）、各信号用導電体９の出力部位Ｂ（各出力端子３ａ，３ｂの引出し部位）、および接地用導電体８の接地部位Ｃ（接地用端子４の引出し部位）は、フィルタ素子９１と同様にして、図１６に示す位置に位置している。接地用端子１１は、図１９に示すように、各出力端子３ａ，３ｂの引出し部位Ｂ（図１６参照）の近傍から引き出されている。
【０１０１】
（第１２の最良の形態）
次いで、本形態に係るフィルタ素子１２１について、図１０，１８，２０を参照して説明する。なお、フィルタ素子１２１は、出力端子３ａ，３ｂについての引出し部位Ｂの配置以外の構成はフィルタ素子４１の構成と同一のため、フィルタ素子４１と同一の構成については同一の符号を付して、重複する説明を省略する。
【０１０２】
フィルタ素子１２１は、図２０に示すように、入力端子２ａ，２ｂ、出力端子３ａ，３ｂ、接地用端子４，１１、コイル部１２５および磁性コア６を備えて構成されて、分布定数型のノイズフィルタ（低域通過型のコモンモードフィルタ）として機能する。
【０１０３】
コイル部１２５は、図１０に示すように、帯状絶縁体７ａ，７ｂ，７ｃ、接地用導電体８、信号用導電体９ａ，９ｂおよび補助接地用導電体１０を備えている。この場合、帯状絶縁体７ａ，７ｂ，７ｃ、接地用導電体８、信号用導電体９ａ，９ｂおよび補助接地用導電体１０は、コイル部４５と同様にして互いに重ねられている。また、接地用導電体８に規定された接地部位Ｃには接地用端子４が、また信号用導電体９ａ，９ｂにそれぞれ規定された入力部位Ａおよび出力部位Ｂには入力端子２ａ，２ｂおよび出力端子３ａ，３ｂが、また補助接地用導電体１０には接地用端子１１が、それぞれコイル部４５と同様にして接続されている。なお、補助接地用導電体１０については、図１０において実線で示すように、接地用導電体８と各信号用導電体９ａ，９ｂとの間に補助接地用導電体１０を配設することもできるし、同図において破線で示すように、接地用導電体８との間で各信号用導電体９ａ，９ｂを挟む位置に補助接地用導電体１０を配設することもできる。
【０１０４】
コイル部１２５は、このように互いに重ねられた各帯状絶縁体７ａ，７ｂ，７ｃ、および各導電体８，９ａ，９ｂ，１０を、図１０において矢印で示すように、各導電体８，９の他端側（同図中の左端側）を巻き始めとして、かつ接地用導電体８に対して各信号用導電体９ａ，９ｂが外側になるように巻回することにより、図２０に示すように、中心部に空隙Ｈが形成された円筒状に形成されている。したがって、このコイル部１２５では、補助接地用導電体１０は、帯状絶縁体７ｃが介在する状態で、出力部位Ｂがそれぞれ規定された各信号用導電体９ａ，９ｂの一端側（最外周部）と対向している。コイル部１２５の空隙Ｈ内には、磁性コア６が装着されている。この場合、各信号用導電体９の入力部位Ａ（入力端子２ａ，２ｂの引出し部位）、各信号用導電体９の出力部位Ｂ（出力端子３ａ，３ｂの引出し部位）、および接地用導電体８の接地部位Ｃ（接地用端子４の引出し部位）は、フィルタ素子１０１と同様にして、図１８に示す位置に規定されている。接地用端子１１は、図２０に示すように、各出力端子３ａ，３ｂの引出し部位Ｂ（図１８参照）の近傍から引き出されている。
【０１０５】
（第１３の最良の形態）
続いて、本形態に係るフィルタ素子１３１について、図１１，１５，１６を参照して説明する。なお、フィルタ素子１３１は、入力端子２、出力端子３および接地用端子４の各引出し部位以外の構成についてはフィルタ素子５１の構成と同一のため、フィルタ素子５１と同一の構成については同一の符号を付して、重複する説明を省略する。
【０１０６】
フィルタ素子１３１は、図１５に示すように、入力端子２、出力端子３、接地用端子４，１１、コイル部１３５および磁性コア６を備えて構成されて、分布定数型のノイズフィルタ（低域通過型のノーマルモードフィルタ）として機能する。
【０１０７】
コイル部１３５は、図１１に示すように、帯状絶縁体７ａ，７ｂ、接地用導電体８、信号用導電体９および補助接地用導電体１０を備えている。この場合、帯状絶縁体７ａ，７ｂ、接地用導電体８、信号用導電体９および補助接地用導電体１０は、コイル部５５と同様に構成され、かつコイル部５５と同様にして互いに重ねられている。また、接地用導電体８に規定された接地部位Ｃには接地用端子４が、また信号用導電体９に規定された入力部位Ａおよび出力部位Ｂには入力端子２および出力端子３が、また補助接地用導電体１０には接地用端子１１が、それぞれコイル部５５と同様にして接続されている。
【０１０８】
コイル部１３５は、このように互いに重ねられた各帯状絶縁体７ａ，７ｂ、および各導電体８，９，１０を、図１１において矢印で示すように、補助接地用導電体１０側を巻き始めとして、かつ信号用導電体９に対して接地用導電体８が外側になるように巻回することにより、図１５に示すように、中心部に空隙Ｈが形成された円筒状に形成されている。したがって、このコイル部１３５では、補助接地用導電体１０は、帯状絶縁体７ｂが介在する状態で、出力部位Ｂが規定された信号用導電体９の他端側（最内周部）と対向している。磁性コア６は、この空隙Ｈ内に装着されて、コイル部１３５の中心部に配設されている。一方、信号用導電体９の入力部位Ａ（入力端子２の引出し部位）、信号用導電体９の出力部位Ｂ（出力端子３の引出し部位）、および接地用導電体８の接地部位Ｃ（接地用端子４の引出し部位）は、フィルタ素子９１と同様にして、図１６に示す位置に規定されている。接地用端子１１は、図１５に示すように、出力端子３の引出し部位Ｂ（図１６参照）の近傍から引き出されている。
【０１０９】
（第１４の最良の形態）
次いで、本形態に係るフィルタ素子１４１について、図１２，１７，１８を参照して説明する。なお、フィルタ素子１４１は、入力端子２、出力端子３および接地用端子４の各引出し部位以外の構成についてはフィルタ素子６１の構成と同一のため、フィルタ素子６１と同一の構成については同一の符号を付して、重複する説明を省略する。
【０１１０】
フィルタ素子１４１は、図１７に示すように、入力端子２、出力端子３、接地用端子４，１１、コイル部１４５および磁性コア６を備えて構成されて、分布定数型のノイズフィルタ（低域通過型のノーマルモードフィルタ）として機能する。
【０１１１】
コイル部１４５は、図１２に示すように、帯状絶縁体７ａ，７ｂ、接地用導電体８、信号用導電体９および補助接地用導電体１０を備えている。この場合、帯状絶縁体７ａ，７ｂ、接地用導電体８、信号用導電体９および補助接地用導電体１０は、コイル部６５と同様に構成され、かつコイル部６５と同様にして互いに重ねられている。また、接地用導電体８に規定された接地部位Ｃには接地用端子４が、また信号用導電体９に規定された入力部位Ａおよび出力部位Ｂには入力端子２および出力端子３が、また補助接地用導電体１０には接地用端子１１が、それぞれコイル部６５と同様にして接続されている。
【０１１２】
コイル部１４５は、このように互いに重ねられた各帯状絶縁体７ａ，７ｂ、および各導電体８，９，１０を、図１２において矢印で示すように、各導電体８，９の他端側（同図中の左端側）を巻き始めとして、かつ接地用導電体８に対して信号用導電体９が外側になるように巻回することにより、図１７に示すように、中心部に空隙Ｈが形成された円筒状に形成されている。したがって、このコイル部１４５では、補助接地用導電体１０は、帯状絶縁体７ｂが介在する状態で、出力部位Ｂが規定された信号用導電体９の一端側（最外周部）と対向している。コイル部１４５の空隙Ｈ内には、磁性コア６が装着されている。一方、信号用導電体９の入力部位Ａ（入力端子２の引出し部位）、信号用導電体９の出力部位Ｂ（出力端子３の引出し部位）、および接地用導電体８の接地部位Ｃ（接地用端子４の引出し部位）は、フィルタ素子１０１と同様にして、図１８に示す位置に規定され、接地用端子１１は出力端子３の引出し部位Ｂの近傍から引き出されている。
【０１１３】
（第１５の最良の形態）
次いで、本形態に係るフィルタ素子１５１について、図１３，１６，１９を参照して説明する。なお、フィルタ素子１５１は、入力端子２ａ，２ｂ、出力端子３ａ，３ｂおよび接地用端子４の各引出し部位以外の構成についてはフィルタ素子７１の構成と同一のため、フィルタ素子７１と同一の構成については同一の符号を付して、重複する説明を省略する。
【０１１４】
フィルタ素子１５１は、図１９に示すように、入力端子２ａ，２ｂ、出力端子３ａ，３ｂ、接地用端子４，１１、コイル部１５５および磁性コア６を備えて構成されて、分布定数型のノイズフィルタ（低域通過型のコモンモードフィルタ）として機能する。
【０１１５】
コイル部１５５は、図１３に示すように、帯状絶縁体７ａ，７ｂ、接地用導電体８、信号用導電体９ａ，９ｂおよび補助接地用導電体１０を備えている。この場合、帯状絶縁体７ａ，７ｂ、接地用導電体８、信号用導電体９ａ，９ｂおよび補助接地用導電体１０は、コイル部７５と同様に構成され、かつコイル部７５と同様にして互いに重ねられている。また、接地用導電体８に規定された接地部位Ｃには接地用端子４が、また各信号用導電体９ａ，９ｂにそれぞれ規定された入力部位Ａおよび出力部位Ｂには入力端子２ａ，２ｂおよび出力端子３ａ，３ｂが、また補助接地用導電体１０には接地用端子１１が、それぞれコイル部７５と同様にして接続されている。
【０１１６】
コイル部１５５は、このように互いに重ねられた各帯状絶縁体７ａ，７ｂ、および各導電体８，９ａ，９ｂ，１０を、図１３において矢印で示すように、補助接地用導電体１０側を巻き始めとして、かつ信号用導電体９ａ，９ｂに対して接地用導電体８が外側になるように巻回することにより、図１９に示すように、中心部に空隙Ｈが形成された円筒状に形成されている。したがって、このコイル部１５５では、補助接地用導電体１０は、相互間に帯状絶縁体７ｂが介在する状態で、出力部位Ｂが規定された信号用導電体９の他端側（最内周部）と対向している。磁性コア６は、この空隙Ｈ内に装着されて、コイル部１５５の中心部に配設されている。この場合、各信号用導電体９の入力部位Ａ（入力端子２ａ，２ｂの引出し部位）、各信号用導電体９の出力部位Ｂ（出力端子３ａ，３ｂの引出し部位）、および接地用導電体８の接地部位Ｃ（接地用端子４の引出し部位）は、フィルタ素子１１１と同様にして、図１６に示す位置に規定されている。接地用端子１１は、図１９に示すように、出力端子３の引出し部位Ｂ（図１６参照）の近傍から引き出されている。
【０１１７】
（第１６の最良の形態）
次いで、本形態に係るフィルタ素子１６１について、図１４，１８，２０を参照して説明する。なお、フィルタ素子１６１は、入力端子２、出力端子３および接地用端子４の各引出し部位以外の構成についてはフィルタ素子８１の構成と同一のため、フィルタ素子８１と同一の構成については同一の符号を付して、重複する説明を省略する。
【０１１８】
フィルタ素子１６１は、図２０に示すように、入力端子２ａ，２ｂ、出力端子３ａ，３ｂ、接地用端子４，１１、コイル部１６５および磁性コア６を備えて構成されて、分布定数型のノイズフィルタ（低域通過型のコモンモードフィルタ）として機能する。
【０１１９】
コイル部１６５は、図１４に示すように、帯状絶縁体７ａ，７ｂ、接地用導電体８、信号用導電体９ａ，９ｂおよび補助接地用導電体１０を備えている。この場合、帯状絶縁体７ａ，７ｂ、接地用導電体８、信号用導電体９ａ，９ｂおよび補助接地用導電体１０は、コイル部８５と同様に構成され、かつコイル部８５と同様にして互いに重ねられている。また、接地用導電体８に規定された接地部位Ｃには接地用端子４が、また各信号用導電体９ａ，９ｂに規定された入力部位Ａおよび出力部位Ｂには入力端子２ａ，２ｂおよび出力端子３ａ，３ｂが、また補助接地用導電体１０には接地用端子１１が、それぞれコイル部８５と同様にして接続されている。
【０１２０】
コイル部１６５は、このように互いに重ねられた各帯状絶縁体７ａ，７ｂ、および各導電体８，９ａ，９ｂ，１０を、図１４において矢印で示すように、各導電体８，９ａ，９ｂの他端側（同図中の左端側）を巻き始めとして、かつ接地用導電体８に対して各信号用導電体９ａ，９ｂが外側になるように巻回することにより、図２０に示すように、中心部に空隙Ｈが形成された円筒状に形成されている。したがって、このコイル部１６５では、補助接地用導電体１０は、相互間に帯状絶縁体７ｂが介在する状態で、出力部位Ｂが規定された各信号用導電体９ａ，９ｂの一端側（最外周部）と対向している。コイル部１６５の空隙Ｈ内には、磁性コア６が装着されている。この場合、各信号用導電体９の入力部位Ａ（入力端子２ａ，２ｂの引出し部位）、各信号用導電体９の出力部位Ｂ（出力端子３ａ，３ｂの引出し部位）、および接地用導電体８の接地部位Ｃ（接地用端子４の引出し部位）は、フィルタ素子１２１と同様にして、図１８に示す位置に規定されている。接地用端子１１は、図２０に示すように、出力端子３ａ，３ｂの引出し部位Ｂ（図１８参照）の近傍から引き出されている。
【０１２１】
上記した各フィルタ素子９１，１０１，１３１，１４１、および各フィルタ素子１１１，１２１，１５１，１６１においても、各フィルタ素子１，２１，５１，６１および各フィルタ素子３１，４１，７１，８１と同様にして、出力部位Ｂが規定された信号用導電体９（９ａ，９ｂ）の最内周部または最外周部と補助接地用導電体１０との間に分布定数的にキャパシタンスが形成され、しかも、全長の短い、つまりインダクタンスによる電位の上昇の少ない補助接地用導電体１０を介してこのキャパシタンスが接地される。このため、各フィルタ素子９１，１１１，１３１，１５１、および各フィルタ素子１０１，１２１，１４１，１６１によれば、信号用導電体９（９ａ，９ｂ）における出力端子３（３ａ，３ｂ）が接続された最内周部または最外周部において、補助接地用導電体１０との間に形成されるキャパシタンスを介してノイズを接地側に良好にバイパスさせることができる結果、高い周波数領域（例えば３ＭＨｚ以上の周波数領域）においても減衰特性を良好に維持することができる。また、入力部位Ａ（入力端子２（２ａ，２ｂ）の引出し部位）、出力部位Ｂ（出力端子３（３ａ，３ｂ）の引出し部位）、および接地部位Ｃ（接地用端子４の引出し部位）の各位置を上記のように規定したことにより、所定の周波数帯域において大きな減衰量を確保することができる結果、優れた減衰特性を有するノーマルモード用のフィルタ素子およびコモンモード用のフィルタ素子を実現することができる。
【０１２２】
なお、本発明は、上記した構成に限定されない。例えば、上述した各フィルタ素子１，２１，３１，・・，１５１，１６１では、入力端子２、出力端子３および接地用端子４，１１のような端子として、棒状の導電体を用いて接地や信号の入出力を行うようにしたが、可撓性を有する配線ケーブルを用いることもできる。また、上記した各フィルタ素子１，２１，３１，・・，１５１，１６１において減衰特性を良好なものとするためには、特に、補助接地用導電体１０を良好な状態（低インピーダンス）で接地するのが好ましく、このためには、例えば金属箔などの断面積および表面積の大きな平板状導電体を接地用端子１１として用いて接地するのが好ましい。また、各フィルタ素子３１，４１，７１，８１，１１１，１２１，１５１，１６１のように、複数（一例として２本）の信号用導電体９ａ，９ｂを備えたフィルタ素子では、図８，１０，１３，１４に示すように、各信号用導電体９ａ，９ｂに対して１本の接地用導電体８，１０を用いているが、各信号用導電体９ａ，９ｂに対応させて接地用導電体８，１０を複数（一例として２本）の導電体で構成することもできる。この構成によれば、必要最小限の導電体で接地用導電体８および補助接地用導電体１０を形成することができる結果、フィルタ素子の軽量化を図ることができる。一例として、２本の接地用導電体８ａ，８ｂおよび２本の補助接地用導電体１０ａ，１０ｂを各信号用導電体９ａ，９ｂに対向するようにして配設した構成を図８，１４において一点鎖線で示す。
【０１２３】
また、上述した各フィルタ素子１，２１，３１，・・，１５１，１６１では、各コイル部５，２５，３５，・・，１５５，１６５に形成された空隙Ｈの内部に磁性コア６を装着して接地用導電体８および信号用導電体９（または信号用導電体９ａ，９ｂ）の結合度合いや分布インダクタンスの値を向上させることによって減衰特性を向上させた例について説明したが、磁性コア６に代えてポットコア内にコイル部５，２５，３５，・・，１５５，１６５を装着する構成を採用することもできる。この構成によれば、接地用導電体８および信号用導電体９（または信号用導電体９ａ，９ｂ）の結合度合いや分布インダクタンスの値をさらに向上させつつ、外部磁界のコイル部５，２５，３５，・・，１５５，１６５に対する影響を低減させることができる。また、ポットコアに代えて、ＥＩ型コアやＥＥ型コアをコイル部５，２５，３５，・・，１５５，１６５に装着することもできる。また、コイル部５，２５，３５，・・，１５５，１６５に形成された空隙Ｈの内部に磁性体を装着しない構成（空芯構造）を採用することもできる。
【０１２４】
また、上記した各フィルタ素子１，２１，３１，・・，１５１，１６１では、入力端子２（２ａ，２ｂ）、出力端子３（３ａ，３ｂ）および各接地用端子４，１１を、コイル部の同一端面（図１，４，７，９，１５，１７，１９，２０では上端面）にのみ配設する構成を採用したが、入力端子２（２ａ，２ｂ）、出力端子３（３ａ，３ｂ）および接地用端子４，１１は、コイル部の中心軸Ｏを含む平面Ｌ上に配設されていれば良いため、入力端子２（２ａ，２ｂ）、出力端子３（３ａ，３ｂ）および接地用端子４，１１の内の一部の端子を他の端子とは逆の端面（例えば図１では下端面）に配設する構成を採用することもできる。また、上記した各フィルタ素子１，２１，３１，・・，１５１，１６１では、入力端子２（２ａ，２ｂ）、出力端子３（３ａ，３ｂ）および接地用端子４，１１を、コイル部の中心軸Ｏを含む平面Ｌ上に配設する構成を採用したが、全ての端子が平面Ｌ上に厳密には配設されずに、平面Ｌから若干ずれた位置に各端子が配置されていても良い。この場合、上記した各フィルタ素子１，２１，３１，・・，１５１，１６１と比較して減衰特性が若干低下するものの、従来のフィルタ素子と比較して、依然として十分に良好な減衰特性を示す。言い替えれば、入力端子２（２ａ，２ｂ）、出力端子３（３ａ，３ｂ）および接地用端子４，１１を、コイル部の中心軸Ｏを含む平面Ｌ上に配設することにより、所定の周波数帯域においてさらに大きな減衰量を確保することができる結果、一層優れた最良の減衰特性を有するノーマルモード用またはコモンモード用のフィルタ素子を実現することができる。また、信号用導電体の本数は、１本および２本に限定されず、３本以上にすることもできる。また、上記した各フィルタ素子１，２１，３１，・・，１５１，１６１では、入力端子２、出力端子３および接地用端子４を、対応する信号用導電体９および接地用導電体８の最内周部（巻始めの１ターンに含まれる部位）または最外周部（巻き終わりの１ターンに含まれる部位）に規定された入力部位Ａ、出力部位Ｂおよび接地部位Ｃに接続したが、これに限定されずに、例えば、対応する信号用導電体９および接地用導電体８の内周部（巻始めの数ターンに含まれる部位）または外周部（巻き終わりの数ターンに含まれる部位）に入力部位Ａ、出力部位Ｂおよび接地部位Ｃをそれぞれ規定して、入力端子２、出力端子３および接地用端子４を接続することもできる。
【０１２５】
また、上記した各フィルタ素子１，２１，３１，・・，１５１，１６１では、帯状絶縁体７ａが最も外側になるように各コイル部５，２５，３５，・・，１５５，１６５を形成したが、信号用導電体９に対して接地用導電体８が外側に位置するコイル部５，３５，５５，７５，９５，１１５，１３５，１５５を備えたフィルタ素子１，３１，５１，７１，９１，１１１，１３１，１５１については、接地用導電体８と帯状絶縁体７ａとの位置を入れ替えることにより、接地用導電体８の最外周部がコイル部の最外周に位置するように構成することもできる。このようにして構成したフィルタ素子によれば、コイル部の最外周に接地用導電体８の最外周部が露出するため、例えば接地用導電体８をプリント基板のグランド電位に直接接続することで確実かつ容易に接地することが可能となる。一例として、図２１に示すフィルタ素子１Ａは、フィルタ素子１のコイル部５をベースとして、接地用導電体８が最外周に位置するように構成されたコイル部５Ａを備えて構成されている。このフィルタ素子１Ａでは、図３において、帯状絶縁体７ａと接地用導電体８の位置を逆にし、帯状絶縁体７ｂと信号用導電体９との位置を逆にし、かつ帯状絶縁体７ｃと補助接地用導電体１０の位置を逆にした状態で、同図中の右端側を巻始め端としてこれらを巻回することによってコイル部５Ａが形成されている。また、図示はしないが、フィルタ素子１Ａと同様にして、信号用導電体９（または９ａ，９ｂ）の最外周部がコイル部の最外周に位置するように構成することもできる。
【実施例】
【０１２６】
次に、実施例を挙げて本発明を詳細に説明する。
【０１２７】
（実施例１、比較例１）
幅を１１ｍｍに設定した接地用導電体８，１０、幅を３．１ｍｍに設定すると共に接地用導電体８と同一長に設定した一対の信号用導電体９ａ，９ｂ、厚みを５０μｍに規定したポリイミド絶縁シートで形成された一対の帯状絶縁体７ａ，７ｂ，７ｃを使用して、各信号用導電体９ａ，９ｂに対して接地用導電体８が外側となり、かつ巻数が３５ターンのコイル部３５を作製すると共に、作製したコイル部３５をＥＩ型コアに装着してフィルタ素子３１に対応する実施例１とした。この場合、補助接地用導電体１０の長さを信号用導電体９ａ，９ｂにおける出力部位Ｂ側の端縁を起点として０．５ターンに規定した。この状態において、信号用導電体９ａ，９ｂのインダクタンスはそれぞれ１２ｍＨであり、接地用導電体８との間に存在するキャパシタンスの総容量は３３００ｐＦであった。また、補助接地用導電体１０と信号用導電体９ａ，９ｂとの間に形成されるキャパシタンスの容量は２０ｐＦであった。
【０１２８】
また、実施例１の構成から帯状絶縁体７ｃおよび補助接地用導電体１０を省くと共に、コイル部３５と同一のターン数のコイル部を形成し、かつ同一のコアを装着してフィルタ素子３１に対応する比較例１とした。
【０１２９】
次いで、実施例１および比較例１に係るフィルタ素子の各周波数毎の減衰特性を、ＨＰ社製のネットワークアナライザーＨＰ８７５１Ａを用いて、Ｓ２１特性（コモンモード）を５０Ω系で測定した。この際に、一対の入力端子２ａ，２ｂを短絡させると共に、一対の出力端子３ａ，３ｂを短絡させて、信号用導電体９ａ，９ｂに対して試験用信号を同時に供給する方法を採用した。実施例１および比較例１に係るフィルタ素子の各減衰特性を図２２に示す。同図において、実施例１に係るフィルタ素子の減衰特性を符号Ｐで示し、比較例１に係るフィルタ素子の減衰特性を符号Ｑで示す。
【０１３０】
図２２によれば、双方とも約３ＭＨｚの周波数において減衰量がピークに達するが、比較例１に係るフィルタ素子では、約３ＭＨｚを超える周波数帯域において、周波数が高くなるに従い減衰量が急激に低下し、約１０ＭＨｚを超える周波数帯域ではその減衰量が５０ｄＢを確保することができない。一方、実施例１に係るフィルタ素子は、約７０ＭＨｚまで５０ｄＢ以上の減衰量を確保できることが確認された。
【０１３１】
（実施例２、比較例２）
幅を１１ｍｍに設定した接地用導電体８、幅を３．１ｍｍに設定した一対の信号用導電体９ａ，９ｂ、厚みを５０μｍに規定したポリイミド絶縁シートで形成された一対の帯状絶縁体７ａ，７ｂ，７ｃを使用して、各信号用導電体９ａ，９ｂに対して接地用導電体８が外側となり、かつ巻数が３５ターンのコイル部７５を作製すると共に、作製したコイル部７５をＥＩ型コアに装着してフィルタ素子７１に対応する実施例２とした。この場合、接地用導電体８の一部（信号用導電体９ａ，９ｂの最内周部と対向する部位）を、信号用導電体９ａ，９ｂにおける出力部位Ｂ側の端縁から１ターンの長さで分離（分割）して補助接地用導電体１０とした。この状態において、各信号用導電体９ａ，９ｂのインダクタンスはそれぞれ１２ｍＨであり、接地用導電体８との間に存在するキャパシタンスの総容量は３３００ｐＦであった。
【０１３２】
また、実施例２の作製手順において、補助接地用導電体１０を形成するための接地用導電体８を分離せずに、一対の信号用導電体９ａ，９ｂと接地用導電体８とを同一長に設定した状態で、コイル部７５と同一のターン数のコイル部を形成し、かつ同一のコアを装着してフィルタ素子７１に対応する比較例２とした。
【０１３３】
次いで、実施例２および比較例２に係るフィルタ素子の各周波数毎の減衰特性を、ＡＤＶＡＮＴＥＳＴ社のネットワークアナライザー  Ｒ３７６７ＣＧのソフトウェアフィクスチャ機能を用いて、この測定器を除いた他の条件を実施例１および比較例１の条件と同一にして測定した。実施例２および比較例２に係るフィルタ素子の各減衰特性を図２３に示す。同図において、実施例２に係るフィルタ素子の減衰特性を符号Ｒで示し、比較例２に係るフィルタ素子の減衰特性を符号Ｓで示す。
【０１３４】
図２３によれば、双方とも約３ＭＨｚの周波数において減衰量がピークに達するが、比較例２に係るフィルタ素子では、約３ＭＨｚを超える周波数帯域において、周波数が高くなるにしたがい減衰量が急激に低下し、約７ＭＨｚを超える周波数帯域ではその減衰量が６０ｄＢ以上を確保することができない。一方、実施例２に係るフィルタ素子は、約３０ＭＨｚまで６０ｄＢ以上の減衰量を確保できることが確認された。
【図面の簡単な説明】
【０１３５】
【図１】フィルタ素子１（５１）の構成を示す斜視図である。
【図２】入力端子２、出力端子３および接地用端子４の各引出し部位Ａ，Ｂ，Ｃを示すフィルタ素子１（３１，５１，７１）を一方の端面から見た平面図である。
【図３】フィルタ素子１（９１）の構成を示すために、コイル部５（９５）を巻き解いた状態の斜視図である。
【図４】フィルタ素子２１（６１）の構成を示す斜視図である。
【図５】入力端子２、出力端子３および接地用端子４の各引出し部位Ａ，Ｂ，Ｃを示すフィルタ素子２１（４１，６１，８１）を一方の端面から見た平面図である。
【図６】フィルタ素子２１（１０１）の構成を示すために、コイル部２５（１０５）を巻き解いた状態の斜視図である。
【図７】フィルタ素子３１（７１）の構成を示す斜視図である。
【図８】フィルタ素子３１（１１１）の構成を示すために、コイル部３５（１１５）を巻き解いた状態の斜視図である。
【図９】フィルタ素子４１（８１）の構成を示す斜視図である。
【図１０】フィルタ素子４１（１２１）の構成を示すために、コイル部４５（１２５）を巻き解いた状態の斜視図である。
【図１１】フィルタ素子５１（１３１）の構成を示すために、コイル部５５（１３５）を巻き解いた状態の斜視図である。
【図１２】フィルタ素子６１（１４１）の構成を示すために、コイル部６５（１４５）を巻き解いた状態の斜視図である。
【図１３】フィルタ素子７１（１５１）の構成を示すために、コイル部７５（１５５）を巻き解いた状態の斜視図である。
【図１４】フィルタ素子８１（１６１）の構成を示すために、コイル部８５（１６５）を巻き解いた状態の斜視図である。
【図１５】フィルタ素子９１（１３１）の構成を示す斜視図である。
【図１６】入力端子２、出力端子３および接地用端子４の各引出し部位Ａ，Ｂ，Ｃを示すフィルタ素子９１（１１１，１３１，１５１）を一方の端面から見た平面図である。
【図１７】フィルタ素子１０１（１４１）の構成を示す斜視図である。
【図１８】入力端子２、出力端子３および接地用端子４の各引出し部位Ａ，Ｂ，Ｃを示すフィルタ素子１０１（１２１，１４１，１６１）を一方の端面から見た平面図である。
【図１９】フィルタ素子１１１（１５１）の構成を示す斜視図である。
【図２０】フィルタ素子１２１（１６１）の構成を示す斜視図である。
【図２１】フィルタ素子１Ａの構成を示す斜視図である。
【図２２】実施例１および比較例１に係るフィルタ素子の周波数と減衰量との関係を示す減衰特性図である。
【図２３】実施例２および比較例２に係るフィルタ素子の周波数と減衰量との関係を示す減衰特性図である。
【符号の説明】
【０１３６】
１，１Ａ，２１，３１，４１，５１，６１，７１，８１，９１，１０１，１１１，１２１，１３１，１４１，１５１，１６１  フィルタ素子
２，２ａ，２ｂ  入力端子
３，３ａ，３ｂ  出力端子
４，１１  接地用端子
５，２５，３５，４５，５５，６５，７５，８５，９５，１０５，１１５，１２５，１３５，１４５，１５５，１６５  コイル部
７ａ，７ｂ  帯状絶縁体
８  接地用導電体
９，９ａ，９ｂ  信号用導電体
１０  補助接地用導電体
Ａ  入力部位
Ｂ  出力部位
Ｃ  接地部位
Ｏ  中心軸
【図１】
2006148762.tif 000003
【図２】
2006148762.tif 000004
【図３】
2006148762.tif 000005
【図４】
2006148762.tif 000006
【図５】
2006148762.tif 000007
【図６】
2006148762.tif 000008
【図７】
2006148762.tif 000009
【図８】
2006148762.tif 000010
【図９】
2006148762.tif 000011
【図１０】
2006148762.tif 000012
【図１１】
2006148762.tif 000013
【図１２】
2006148762.tif 000014
【図１３】
2006148762.tif 000015
【図１４】
2006148762.tif 000016
【図１５】
2006148762.tif 000017
【図１６】
2006148762.tif 000018
【図１７】
2006148762.tif 000019
【図１８】
2006148762.tif 000020
【図１９】
2006148762.tif 000021
【図２０】
2006148762.tif 000022
【図２１】
2006148762.tif 000023
【図２２】
2006148762.tif 000024
【図２３】
2006148762.tif 000025